(57)【要約】【課題】厚さや幅の異なるカードに対応して、カードによってコンタクトが損傷されることを防止し、常にコンタクトの接触部がカードの接触パッド部に良好に接触されるように挿入横断面方向の寸法や形状の異なる異種カードが共用できるように構成する。【解決手段】両側壁の内面に階段状に複数個の段付き案内路が形成されたコネクタ本体と、該コネクタ本体と組合せて偏平で中空のハウジングを形成するカバー部材と、該ハウジング内に滑動可能に設けられたスライダと、前記ハウジング内に上下方向に分けて設置された複数個の第１、第２のコンタクトと、前記ハウジング内の一側に設けられたイジェクト機構とを有し、挿入横断面方向の形状や寸法の異なる厚薄のカードに対応して、前記スライダに対する挿入横断面方向の形状を切り換えできる構造に形成されていることを特徴とする。【選択図】        図２
2004206963.tif 000002
【特許請求の範囲】
【請求項１】
両側壁の内面に階段状に複数個の段付き案内路が形成されたコネクタ本体と、該コネクタ本体と組合せて偏平で中空のハウジングを形成するカバー部材と、該ハウジング内に滑動可能に設けられたスライダと、前記ハウジング内に上下方向に分けて設置された複数個の第１、第２のコンタクトと、前記ハウジング内の一側に設けられたイジェクト機構とを有し、挿入横断面方向の形状や寸法の異なる厚薄のカードに対応して、前記スライダに対する挿入横断面方向の形状を切り換えできる構造に形成されていることを特徴とするカードコネクタ。
【請求項２】
前記スライダが中空形状に形成され厚いカードの挿入時に、カードがスライダと係合してスライダを動かし、上段の第１のコンタクトと接触されることを特徴とする請求項１記載のカードコネクタ。
【請求項３】
薄いカードの挿入時には、カードがスライダと係合せずにスライダ内の中空部分に導入されて下段の第２のコンタクトと接触されることを特徴とする請求項１または２記載のカードコネクタ。
【請求項４】
前記第１、第２のコンタクトが同一方向の位置に配置され、前記厚いカードの挿入で前記スライダが移動されて前記第１のコンタクトが前記スライダの仕切板部によって接触状態に位置されて接触され、前記スライダの静止した待機位置において前記スライダの仕切板部の下に前記薄いカードが導入されて前記第２のコンタクトと接触されることを特徴とする請求項１乃至３のいずれかに記載のカードコネクタ。
【請求項５】
前記第１、第２のコンタクトが向かい合わせに対向する位置に配置され、前記厚いカードの挿入で前記スライダが移動されて前記第１のコンタクトが前記スライダの仕切板部によって接触状態に位置され、前記スライダの静止した待機位置において前記スライダの仕切板部の下に前記薄いカードが導入されて第２のコンタクトと接触されることを特徴とする請求項１乃至３のいずれかに記載のカードコネクタ。
【請求項６】
前記第１、第２のコンタクトが向かい合わせに対向する位置に配置され、前記スライダが平板状に形成されて前記第１、第２のコンタクトの先端部分が上方に突出するようにできる第１、第２の長孔を設けて、前記厚いカードの挿入により前記スライダが移動される時に、前記第１のコンタクトが前記スライダの第１の長孔から突出して前記厚いカードと接触され、前記スライダの静止した待機位置においては前記スライダの第２の長孔から前記第２のコンタクトが上方に突出して前記薄いカードと接触されることを特徴とする請求項１記載のカードコネクタ。
【請求項７】
前記第１、第２のコンタクトが同一方向の位置に配置され、かつ前記第１、第２のコンタクトの間に仕切板が配置されて、厚いカードの挿入時には上下動可能なカードガイドによって前記仕切板の上に前記厚いカードが案内されて前記第１のコンタクトと接触され、薄いカードの挿入時には、前記仕切板の下に前記薄いカードが案内されて前記第２のコンタクトと接触されるように構成されていることを特徴とする請求項１記載のカードコネクタ。
【請求項８】
前記イジェクト機構は、ハート形カムが形成されたカム機構を有することを特徴とする請求項１記載のカードコネクタ。
【発明の詳細な説明】
【０００１】
【発明の属する技術分野】
本発明は、携帯電話機や電話機、ＰＤＡ（personal  digital  assistance）、携帯型オーディオ、ゲーム機、カメラ等の電子機器や情報端末機器等に取付けられるカードコネクタに係わるもので、特に、ＳＤカードやブルートゥースカード、ＭＳ・Ｄｕｏカード（以下、単にＤｕｏカードと言う）と呼称されるＩＣカード等の小型のメモリカードのような挿入断面形状や幅、あるいは厚さ等の異なるカードが挿入されるように用いられるカードコネクタに関するものである。
【０００２】
【従来の技術】
近年、携帯電話機や電話機、ＰＤＡ（personal  digital  assistance）、携帯型オーディオ、ゲーム機、カメラ等の電子機器や情報端末機器等においては、メモリなどのＩＣチップと呼ばれるＩＣ部品が組込まれたＳＩＭ（subscriber  identity  module）カード、ＭＭＣ（multi  media  card）、スマートメディア（登録商標）、ＳＤ（super  density；secure  digital）カード、ブルートゥース（登録商標）カード、ＭＳ・Ｄｕｏカード等のＩＣカードを挿入して用いるカードコネクタが広く求められている（例えば、特許文献１参照。）。
【０００３】
カードコネクタに挿入されるカードにおいて、厚さが薄いＤｕｏカードと、厚さが厚いＳＤカードのようなカード等がある。さらにまた、このようなカードでは、カードを長い形状とし、その先端にアンテナが配設された無線を使用するブルートゥースカード等もあり、このブルートゥースカードでは、そのアンテナ部分をカードコネクタの筐体から飛び出させて使用している。
【０００４】
また、このような厚さの薄いＤｕｏカードに対応して、幅方向のコネクタ挿入口の外形寸法が大きく、長手方向の奥行きがほぼ同じで、厚さが厚いＳＤカードが広く使用されている。このようなＳＤカードのような厚いカードが、上記のような幅方向の狭いカードや薄いカードと共に使用されるようになって来ている。
【０００５】
【特許文献１】
特開２００１−２２３０４４号公報（第４−５頁、第５−６図）
【０００６】
【発明が解決しようとする課題】
しかしながら、産業界ではこのような厚いカードや薄いカードと、幅の異なるカード等を、共通の１つのカードコネクタによって共用することが求められている。ところで、カードコネクタにおいて、厚さや幅等の異なるカードを共用すると、カードの端末端面が不揃いとなり、使用機器の端面から少なくとも一方のカードが飛出したりする。さらに、このような寸法の異なるカードの共用においては、コンタクトの位置が一致せず、カードの接触パッド部とコンタクトとの接触がずれてしまうことがある。さらにまた、この飛び出たカードに外圧が加わった場合に、カードがコンタクトを損傷し、カードの接触パッド部からコンタクトの接触部が脱落してリードエラーが発生してしまう等の不都合な問題が見られる。
【０００７】
従って、本発明の目的は、このような従来における問題点を解決するために、厚さや幅の異なるカードに対応して、カードによってコンタクトが損傷されることを防止し、常にコンタクトの接触部がカードの接触パッド部に良好に接触されるように挿入横断面方向の寸法や形状の異なる異種カードが共用できるように構成されたカードコネクタを提供することにある。
【０００８】
【課題を解決するための手段】
上述の目的を達成するために、本発明のカードコネクタは、両側壁の内面に階段状に複数個の段付き案内路が形成されたコネクタ本体と、該コネクタ本体と組合せて偏平で中空のハウジングを形成するカバー部材と、該ハウジング内に滑動可能に設けられたスライダと、前記ハウジング内に上下方向に分けて設置された複数個の第１、第２のコンタクトと、前記ハウジング内の一側に設けられたイジェクト機構とを有し、挿入横断面方向の形状や寸法の異なる厚薄のカードに対応して、スライダに対する挿入横断面方向の形状を切り換えできる構造に形成されていることを特徴とする。
【０００９】
また、本発明のカードコネクタは、前記スライダが中空形状に形成され厚いカードの挿入時に、カードがスライダと係合してスライダを動かし、上段の第１のコンタクトと接触されることを特徴とする。
【００１０】
さらに、本発明のカードコネクタは、薄いカードの挿入時には、カードがスライダと係合せずにスライダ内の中空部分に導入されて下段の第２のコンタクトと接触されることを特徴とする。
【００１１】
さらにまた、本発明のカードコネクタは、前記第１、第２のコンタクトが同一方向の位置に配置され、前記厚いカードの挿入で前記スライダが移動されて前記第１のコンタクトが前記スライダの仕切板部によって接触状態に位置されて接触され、前記スライダの静止した待機位置において前記スライダの仕切板部の下に前記薄いカードが導入されて前記第２のコンタクトと接触されることを特徴とする。
【００１２】
本発明のカードコネクタは、前記第１、第２のコンタクトが向かい合わせに対向する位置に配置され、前記厚いカードの挿入で前記スライダが移動されて前記第１のコンタクトが前記スライダの仕切板部によって接触状態に位置され、前記スライダの静止した待機位置において前記スライダの仕切板部の下に前記薄いカードが導入されて第２のコンタクトと接触されることを特徴とする。
【００１３】
また、本発明のカードコネクタは、前記第１、第２のコンタクトが向かい合わせに対向する位置に配置され、前記スライダが平板状に形成されて前記第１、第２のコンタクトの先端部分が上方に突出するようにできる第１、第２の長孔を設けて、前記厚いカードの挿入により前記スライダが移動される時に、前記第１のコンタクトが前記スライダの第１の長孔から突出して前記厚いカードと接触され、前記スライダの静止した待機位置においては前記スライダの第２の長孔から前記第２のコンタクトが上方に突出して前記薄いカードと接触されることを特徴とする。
【００１４】
さらに、本発明のカードコネクタは、前記第１、第２のコンタクトが同一方向の位置に配置され、かつ前記第１、第２のコンタクトの間に仕切板が配置されて、厚いカードの挿入時には上下動可能なカードガイドによって前記仕切板の上に前記厚いカードが案内されて前記第１のコンタクトと接触され、薄いカードの挿入時には、前記仕切板の下に前記薄いカードが案内されて前記第２のコンタクトと接触されるように構成されていることを特徴とする。
【００１５】
さらにまた、本発明のカードコネクタは、前記イジェクト機構が、ハート形カムが形成されたカム機構を有することを特徴とする。
【００１６】
本発明のその他の目的や特徴および利点は、添付図面に示される本発明の実施形態についての以下の詳細な説明から明らかである。
【００１７】
【発明の実施の形態】
（実施例１）
図１乃至図８には、本発明のカードコネクタの実施例１が示されており、図１は、本発明の実施例１におけるカードコネクタの斜視図で、図２は、図１のカードコネクタを、カバー部材を取り除いて示す斜視図、図３は、ＳＤカードを挿入した時の斜視図で、図４は、Ｄｕｏカードを挿入した時の斜視図、図５は側断面図で、図６は、ＳＤカードを挿入した時の側断面図、図７は、Ｄｕｏカードを挿入した時の側断面図で、図８は、コンタクト部分とスライダ部分を下方から見た部分斜視図である。
【００１８】
なお、本発明のカードコネクタのこの実施例１においては、カードとして、例えばＳＤカードとＤｕｏカードとが使用されるよう適用されるが、本発明は、これらＳＤカードやＤｕｏカードの使用にのみ制限されるものではなく、他のカードにも適用できることは勿論である。
【００１９】
図示されるように、本発明の実施例１におけるカードコネクタ１は、コネクタ本体３にカバー部材４を組合せて形成される偏平な中空構造のハウジング２と、このハウジング４内に滑動可能に設けられたスライダ５と、ハウジング４内に上下二段に整列して設置された複数個の第１のコンタクト６および第２のコンタクト７と、ハウジング４の一方の側壁１３に設けられたイジェクト機構８とを有している。
【００２０】
本発明のカードコネクタ１において、ハウジング２は、一端が開口されていて、この開口側にカード挿入口９が形成されており、他方の側が閉鎖されていて端壁１１が設けられている。ハウジング２のこの端壁１１には、複数個の孔１２が上下二段に、かつ横方向に整列して設けられており、これら孔１２の上方側の孔１２ａに位置するように配置された上段側の第１のコンタクト６と、下方側の孔１２ｂに位置するように配置された下段側の第２のコンタクト７とが夫々嵌め込まれて固定されている。このようなハウジング２は、コネクタ本体３とカバー部材４とを組み合わせて偏平で中空な形状に構成されている。
【００２１】
コネクタ本体３は、平板状のベース部１０と、このベース部１０の両側の側壁１３、１４と、第１、第２のコンタクト６、７が設置される端壁１１とを有している。
【００２２】
さらに、コネクタ本体３には、両側の側壁１３、１４に沿ってカードの側縁を案内する第１および第２の案内路を形成する上段の案内路１５と、中段の案内路１６と、下段の案内路１７とが、３段の段付き形状に形成されている。これら上段の案内路１５と中段の案内路１６は、上段の案内路１５が上側に幅が広く形成されており、中段の案内路１６が上段の案内路１５よりも幅が狭いように上段の案内路１５の下側に、中段に形成されている。
【００２３】
従って、これら上段の案内路１５と中段の案内路１６とが、例えばＳＤカードの両側の段付部を案内するように段付き側辺部分に係合してＳＤカードをスライドできるように第１の案内路として形成されている。そして、この第１の案内路の中段の案内路１６の下に、下段の案内路１７が、中段の案内路１６の幅よりも狭い幅で設けられている。この下段の案内路１７が、Ｄｕｏカードの両側の側辺部分に係合してＤｕｏカードを案内できるように第２の案内路として形成されている。
【００２４】
同時に、これら第１および第２の案内路を形成する上段、中段、下段の案内路１５、１６、１７に沿ってスライダ５が良好にスライドできるようにスライダ５が第１、第２の案内路の上段、中段、下段の案内路１５、１６、１７と係合するように装着されている。
【００２５】
さらに、コネクタ本体３の一方の側壁１３には、後方側のほぼ半分程に亙って切除されており、第１、第２の案内路の上段、中段、下段の案内路１５、１６、１７とほぼ平行に細長い空所としてスライド溝１８が形成されている。そして、この細長いスライド溝１８内には、カードを放出するためのイジェクト機構８が設けられている。
【００２６】
イジェクト機構８は、スライダ５の一側に横方向に突出するように設けられた突起部１９に一端が係止されたばね部材２１を有しており、このばね部材２１の他端がスライド溝１８内における固定の突起部２０に係止されている。従って、スライダ５は、イジェクト機構８のこのばね部材２１によってカードを放出することができるように弾性偏倚されるように形成されている。
【００２７】
また、コネクタ本体３の他方の側壁１４には、カードの書込防止ボタンとしてのライトプロテクトボタンのスライド位置を検出するライトプロテクトスイッチを構成する片持ち梁状に支持された金属ばね片を設けることができる。
【００２８】
コネクタ本体３と組合せられるカバー部材４は、金属薄板を、例えば打抜きやプレス加工等によって折り曲げ加工されて作られ、両側に側壁２２、２３が設けられていて、コネクタ本体３の両側壁１３、１４の外面側に嵌合されて取り付けられるように形成されている。また、カバー部材４の前方端部側には、カードを取り出すための切欠き等を必要に応じて設けることができる。
【００２９】
また、コネクタ本体３とカバー部材４とから形成されるハウジング２内に滑動可能に設けられたスライダ５は、コネクタ本体３の両側の側壁１３、１４の第１、第２の案内路を形成する３段の案内路１５、１６、１７に沿って滑動可能に設けられており、ＳＤカードの前端面が係合して押すことによって移動されるようにブリッジ形状、または下方の一部が切除された中空角形の形状に形成されている。従って、このスライダ５の中空部分と下方の切除部分とによって、スライダ５が第１、第２のコンタクト６、７部分の上を通過移動できるように作られている。このようなスライダ５の中空の形状は、図２と図８から明白に示されており、理解することができる。
【００３０】
図示されるように、スライダ５は、左右両側に、上段の案内路１５に側面が係合するフランジ部５ａが設けられており、中程の前方に仕切板部５ｂが設けられている。さらに、スライダ５の下面部分は、一部が切除されることによって内側に突出する内フランジ部５ｃ、５ｄが設けられており、また、後方の下部には、下方に櫛歯状に開口した開口部５ｆを有する端壁５ｅが設けられている。
【００３１】
このために、この端壁５ｅの櫛歯状に切り欠かれた縦方向に細長い各々の開口部５ｆに、第２のコンタクト７がそれぞれ挿通されている。さらに、この端壁５ｅの上には横方向に細長い空所が形成されていて、この空所部分に第１のコンタクト６が、横方向に整列して通されて前方に延びており、仕切板部５ｂの上を通ってさらに前方に延びている。これによって、第１のコンタクト６と第２のコンタクト７は、スライダ５の仕切板部５ｂと端壁５ｅとによって上下にしっかりと分けられており、接触することがない。
【００３２】
図示されるように、上段の第１のコンタクト６は、一端にカードのパッド部と接触するための片持ち梁形の円弧状のカード接触部２５が形成された弾性コンタクト部片２４を有している。また、この第１のコンタクト６は、他端に、基板のプリント回路と接続されるための端子部２５を有している。さらに、この第１のコンタクト６は、この端子部２６の近傍において、コネクタ本体３の端壁１１の上段の孔１２ａに弾性コンタクト部片２４の根元部分が圧入されて固着されている。このような第１のコンタクト６とほぼ同様に第２のコンタクト７も弾性コンタクト部片２７、カード接触部２８、端子部２９が設けられており、端壁１１の下段の孔１２ｂに弾性コンタクト部片２７の根元部分が圧入されて固着されている。また、これら第１、第２のコンタクト６、７の形状が図５乃至図８に明示されている。
【００３３】
このように、本発明の実施例１のカードコネクタ１においては、第１のコンタクト６が上段に位置されて、第２のコンタクト７が下段に位置されるように二段に、かつ横方向に整列して配置されている。従って、ＳＤカードの接触パッド部が上段の第１コンタクト６と接触されて接続され、Ｄｕｏカードの接触パッド部が下段の第２のコンタクト７と接触されて接続されるように構成されている。
【００３４】
このように構成された本発明のカードコネクタの実施例１において、ＳＤカードとＤｕｏカードを実際に使用する場合の状態について、以下に説明する。
【００３５】
この場合に、ＳＤカードは、両側の側辺部分が段付き形状に形成され、幅が広く厚いカードである。他方、Ｄｕｏカードは、幅がＳＤカードよりも狭く、かつ薄いカードである。
【００３６】
図３と図６は、ＳＤカードを挿入した場合の図で、図示されるように、本発明のカードコネクタ１のカード挿入口９からＳＤカードＡを挿入すると、ＳＤカードＡは、両側の段付き側辺部分が第１の案内路を形成する上段の案内路１５と中段の案内路１６とに係合して、この第１の案内路の上段の案内路１５と中段の案内路１６とに沿って案内されて、奥の方に向って押し入れられるようになる。そして、ＳＤカードＡの先端面がスライダ５に当接してスライダ５を押すので、スライダ５は、第１の案内路の上段の案内路１５と中段の案内路１６とに沿って、さらにスライドされて奥の方へと押されて、移動されるようになる。
【００３７】
この場合に、スライダ５は、中空部分と下方の切除部分とが第１、第２のコンタクト６、７の上を通過するので、これら第１、第２のコンタクト６、７によって、スライダ５の移動が何等邪魔されることは無い。さらにまた、これら第１、第２のコンタクト６、７も、スライダ５が当たることが無く、何等損傷されることが無い。従って、ＳＤカードＡの先端下面側の接触パッド部が、図６に示されるように、所要位置において第１のコンタクト６の弾性コンタクト部片２４のカード接触部２５と良好に接触されて、好適に接続されるようになる。この場合に、ＳＤカードＡは、図６に示されるように、第２のコンタクト７よりも上方に位置されており、第２のコンタクト７にはＳＤカードＡが何等当たっていない。
【００３８】
また、この場合に、イジェクト機構８のばね部材２１は、ＳＤカードＡによってスライダ５が奥の方に押されて移動されるために、図３に示されるように引っ張られて延びて、緊張されるようになる。このようなばね部材２１が延びた緊張された状態で、適宜なロック機構によってスライダ５をロックして固定することができる。このようなロック機構の一例としては、例えば、ばね部材によって弾性偏倚されたラッチ爪部材や押圧ボタン部材等を利用することができる。
【００３９】
このようにして、本発明のカードコネクタ１内にＳＤカードＡを所要位置にまで挿入して装着することができる。こうして本発明のカードコネクタ１に挿入されたＳＤカードＡを取り出すためには、図示されていないロック機構のロックを解除すれば、スライダ５がイジェクト機構８の緊張したばね部材２１の引張力によって引っ張られる。このために、スライダ５は、上段と中段と下段の案内路１５、１６、１７に沿って、カード挿入口９の方に向って移動されて、ＳＤカードＡが押し出されるので、ＳＤカードＡをカードコネクタ１から取出すことができる。
【００４０】
また、ＤｕｏカードＢを挿入する場合には、ＤｕｏカードＢは、ＳＤカードＡよりも幅が狭く、かつ厚さも薄いので、カードコネクタ１のカード挿入口９において、下方側の第２の案内路としての下段の案内路１７の間に嵌合されて挿入されるようになる。従って、ＤｕｏカードＢは、この下方側の第２の案内路を形成する下段の案内路１７に沿って、カードコネクタ１内の奥の方に向って押し入れられて、挿入されるようになる。そして、ＤｕｏカードＢの先端部が、スライダ５の仕切板部５ｂの下を通ってスライダ５内に入れられるようになる。
【００４１】
この場合に、ＤｕｏカードＢの先端下面側の接触パッド部が、図７に示されるように、第２のコンタクト７の弾性コンタクト部片２７のカード接触部２８と良好に接触されて好適に接続されるようになる。このような場合に、ＤｕｏカードＢは、図７に示されるように、上段の第１のコンタクト６よりも下方に位置されており、上段の第１のコンタクト６にはＤｕｏカードＢが何等当たっていない。
【００４２】
また、この場合に、イジェクト機構８のばね部材２１は、ＤｕｏカードＢがスライダ５の仕切板部５ｂの下を通って中空部分と切除部分とに入るために、スライダ５が何等全く移動されることが無い。従って、ばね部材２１も何等引っ張られないために緊張されることがなく、スライダ５は、図４と図７に示されるように不動のままである。このために、ＤｕｏカードＢは、接触パッド部が第２のコンタクト７のカード接触部２８と好適に接続されるようになる。
【００４３】
このように、本発明のカードコネクタ１に挿入されたＤｕｏカードＢを取り出すためには、単にＤｕｏカードＢの端を持って引き出せば、ＤｕｏカードＢは何等不都合なく好適に引き出されて下段の第２のコンタクト７から、ＤｕｏカードＢの接触パッド部が第２のコンタクト７のカード接触部２８から離されて、ＤｕｏカードＢがカードコネクタ１から好適に引き出されるようになる。
【００４４】
上述したように構成された本発明のカードコネクタ１によれば、カードコネクタ１のカード挿入口９において、外形寸法形状が相違し、かつ挿入口方向の厚さ寸法が異なるＳＤカードＡやＤｕｏカードＢ等を、同一のカードコネクタ１のカード挿入口９のスロットとしての第１の案内路を形成する上段と中段の案内路１５、１６と、第２の案内路を形成する下段の案内路１７とによって、段付き形状の厚さの厚いＳＤカードＡと、幅が狭く、厚さの薄いＤｕｏカードＢとが、同一機器のカードコネクタ１において、上段の第１のコンタクト６と下段の第２のコンタクト７とにそれぞれ良好に接触されるようになる。
【００４５】
従って、挿入されたＳＤカードＡとＤｕｏカードＢ等の接触パッド部が、本発明のカードコネクタ１の上段または下段の第１および第２のコンタクト６、７のカード接触部２５、２８と良好に接触されて接続されるようになる。これによって、このような外形寸法の異なるＳＤカードＡやＤｕｏカードＢが挿入された場合においても、ＳＤカードＡやＤｕｏカードＢと確実に接触することができ、しかもまた、ＳＤカードＡやＤｕｏカードＢ等の接触パッド部から上段および下段の第１、第２のコンタクト６、７のカード接触部２５、２８が脱落してリードエラーが発生しないようにしっかりと保護することができる。
【００４６】
（実施例２）
図９乃至図１８には、本発明のカードコネクタの実施例２が示されており、図９は、本発明の実施例２におけるカードコネクタの斜視図で、図１０は、図９のカードコネクタを、カバー部材を取り除いて示す斜視図、図１１は、カバー部材を取り除いた、図１０のカードコネクタの平面図で、図１２は、ＳＤカードを挿入した時の斜視図、図１３は、Ｄｕｏカードを挿入した時の斜視図で、図１４は、カバー部材を取り除いた図１０のカードコネクタの側断面図、図１５は、ＳＤカードを挿入した時の側断面図で、図１６は、Ｄｕｏカードを挿入した時の側断面図、図１７Ａ乃至図１７Ｃは、ＳＤカードを挿入、抜き出す時の状態図で、図１８Ａ乃至図１８Ｃは、Ｄｕｏカードを挿入、抜き出す時の状態図である。
【００４７】
なお、本発明のカードコネクタのこの実施例２においても、カードとして、例えばＳＤカードとＤｕｏカードとが使用されるよう適用されるが、本発明は、これらＳＤカードやＤｕｏカードの使用にのみ制限されるものではなく、他の同様なカードにも適用できることは勿論である。
【００４８】
図示されるように、本発明の実施例２におけるカードコネクタ３０は、コネクタ本体３３にカバー部材３４を組合せて形成される偏平な中空構造のハウジング３２と、このハウジング３４内に滑動可能に設けられたスライダ３５と、ハウジング３４内に上下二段に設置された複数個の第１のコンタクト３６および第２のコンタクト３７と、ハウジング３４の一方の側壁４３に設けられたイジェクト機構３８とを有している。
【００４９】
本発明のカードコネクタ３０において、ハウジング３２は、コネクタ本体３３とカバー部材３４とを組み合わせて偏平で中空な形状に構成されている。さらにまた、ハウジング３２は、一端が開口されていて、この開口側にカード挿入口３９が形成されており、他方の側が閉鎖されていて端壁４１が設けられている。ハウジング３２のこの端壁４１には、複数個の孔４２が横方向に間隔を置いて整列して設けられており、これら孔４２の各々に位置するように配置された第１のコンタクト３６が夫々嵌め込まれて固定されている。
【００５０】
さらに、これら第１のコンタクト３６の各々に対応して第２のコンタクト３７が向かい合うようにハウジング３２内においてコネクタ本体３３上に取り付けられている。しかも、これら第１のコンタクト３６と第２のコンタクト３７とは、図１４乃至図１６に示されるように、上下方向に異なった高さ位置に設置されている。
【００５１】
コネクタ本体３３は、平板状のベース部４０と、このベース部４０の両側の側壁４３、４４と、第１のコンタクト３６が設置される端壁４１とを有している。
【００５２】
さらに、コネクタ本体３３には、両側の側壁４３、４４に沿ってＳＤカードの側縁を案内する第１の案内路を形成する上段の案内路４５と下段の案内路４６とが、段付き形状に形成されている。これら第１の案内路を形成する上段の案内路４５と下段の案内路４６は、上段の案内路４５が上側に幅が広く形成されており、下段の案内路４６が上段の案内路４５よりも幅が狭いように下側に形成されていて、２段の段付き形状に作られている。
【００５３】
従って、これら第１の案内路を形成する上段の案内路４５と下段の案内路４６とが、例えばＳＤカードの両側の段付部を案内するように段付き側辺部分に係合してＳＤカードをスライドできるように形成されている。そして、後に詳しく説明されるように、さらに下段の案内路４６の内側に形成される直立壁７６の内側の側面７６ａと、スライダ３５に設けられた突部７７の内側の側面７７ａとによって、Ｄｕｏカードのための第２の案内路が形成されている。従って、この第２の案内路を形成する直立壁７６の側面７６ａと突部７７の側面７７ａとが、Ｄｕｏカードの両側の側辺部分に係合してＤｕｏカードを案内できるように形成されている。
【００５４】
同時に、この第１の案内路の上段の案内路４５と下段の案内路４６とに沿ってスライダ３５が良好にスライドできるようにスライダ３５が第１の案内路の上段の案内路４５と下段の案内路４６とに係合するように装着されている。
【００５５】
さらに、コネクタ本体３３の一方の側壁４３には、後方側のほぼ半分程に亙って切除されており、第１の案内路の上段の案内路４５と下段の案内路４６とにほぼ平行に細長い空所としてスライド溝４７が、側壁４３のほぼ全長に亙って形成されている。そして、この細長いスライド溝４７内には、ＳＤカードを放出するためのイジェクト機構３８が設けられている。
【００５６】
コネクタ本体３３と組合せられるカバー部材３４は、金属薄板を、例えば打抜きやプレス加工等によって折り曲げ加工されて作られ、両側に側壁５１、５１が設けられている。このカバー部材３４の側壁５１、５１には、細長い矩形状の開口５１ａが設けられていて、コネクタ本体３３の両側の側壁４３、４４のラッチ爪５２が係止されるように形成されている。また、カバー部材３４の前方端部側には、カードを取り出すための切欠きが設けられていて、カード用の開口３４Ａが形成されている。
【００５７】
また、コネクタ本体３３とカバー部材３４とから形成されるハウジング３２内に滑動可能に設けられたスライダ３５は、コネクタ本体３３の両側の側壁４３、４４の第１の案内路の上段の案内路４５と下段の案内路４６とに沿って滑動可能に設けられており、ＳＤカードの前端面が係合して押すことによって移動されるようにブリッジ形状、または一部が切除された中空角形の形状に形成されている。
【００５８】
従って、このスライダ３５の中空部分と切除部分とによって、スライダ３５が、第１、第２のコンタクト３６、３７の上方を通過移動できるように作られている。このようなスライダ３５の中空で、一部が切除された形状は、図１０に明白に示されており、理解することができる。
【００５９】
図示されるように、上段側の第１のコンタクト３６は、一端にＳＤカードの接触パッド部と接触するための片持ち梁形の円弧状のカード接触部５４が形成された弾性コンタクト部片５３を有している。また、第１のコンタクト３６は、基板のプリント回路と接続されるための端子部５５を有している。さらに、この第１のコンタクト３６は、この端子部５５の近傍にてコネクタ本体３３の端壁４１の孔１２に弾性コンタクト部片５３の根元部分が圧入されて固着されている。
【００６０】
このような第１のコンタクト３６とほぼ同様に第２のコンタクト３７も弾性コンタクト部片５６、カード接触部５７、端子部５８が設けられており、コネクタ本体３４のベース部材４０上に、第１のコンタクト３６と対向して、かつ下段の位置に配設されている。さらに、この第２のコンタクト３７は、コネクタ本体３４のベース部材４０上の溝内に、弾性コンタクト部片５６の根元部分が圧入されて固着されることによってしっかりと取り付けられている。また、これら第１、第２のコンタクト３６、３７の形状が、図１４乃至図１６に明示されている。
【００６１】
このように、本発明の実施例２のカードコネクタ３０においては、第１のコンタクト３６が上段に位置されて、この第１のコンタクト３６と対向する形で第２のコンタクト３７が下段に位置されるように二段に配置されている。従って、ＳＤカードの接触パッド部が上段の第１コンタクト３６と接触されて接続され、Ｄｕｏカードの接触パッド部が下段の第２のコンタクト３７と接触されて接続されるように構成されている。
【００６２】
イジェクト機構３８は、スライダ３５の一側に横方向に突出するようにスライダ３５と一体的に設けられた操作部材４８と、この操作部材４８に設けられたカム機構４９と、操作部材４８を両側から押圧または引張るように設けられた一対のばね部材５０Ａ、５０Ｂとを有している。ばね部材５０Ａは圧縮コイルスプリングが良く、ばね部材５０Ｂは引張コイルスプリングが好適である。従って、スライダ３５は、イジェクト機構３８のこのようなばね部材５０Ａ、５０ＢによってＳＤカードを放出することができるように弾性偏倚されるように形成されている。
【００６３】
また、スライダ３５の一方の側には、ＳＤカードの角部が係合するカード受け部５９が設けられている。このカード受け部５９は、ＳＤカードの裏返し挿入を防止するために、角部が面取り等によって切り落とされたＳＤカードの切欠き部を受けて良好に係合できるように形成されている。従って、ＳＤカードを裏返しに挿入した時には、ＳＤカードの切り欠かれていない角部がカード受け部５９に当接するために、ＳＤカードの角部とカード受け部５９とが合致せず、ＳＤカードの挿入が不可能になり、ＳＤカードの裏差しを防止することができる。
【００６４】
図１０乃至図１３に示されるように、イジェクト機構３８のカム機構４９は、操作部材４８の上面に形成されたほぼＹ字形のカム溝６０と、このほぼＹ字形のカム溝６０の脚部の間に形成されたハート形カム６１と、一端がコネクタ本体３３の側壁４３に回動可能に支持されて他端がカム溝６０に係合されたカムレバー６２とを有している。カムレバー６２は、本体部分が真直ぐなレバーをなしており、両端部６２ａ、６２ｂがほぼ直角に折り曲げられた、偏平なほぼコ字形をなしている。
【００６５】
ほぼＹ字形をしたカム溝６０は、ループ状に形成されていて、ハート形カム６１の両側の第１ガイド溝６３と第２ガイド溝６４と、これら第１、第２ガイド溝６３、６４の延長として形成された一対のカード放出作動開始用ガイド溝６５と、ハート形カム６１の頭部に形成されたカムレバー用係止部６７を有する凹み溝６６と、直線状ガイド溝６８とを有している。従って、カムレバー６２の他端部６２ｂがカムホロワとしてこのカム溝６０に係合して、スライダ３５の移動によってカム溝６０に沿って従動するように形成されている。さらにまた、カムレバー６２の脱落を防止するために、カバー部材３４の一側にカムレバー押え６９が設けられている。
【００６６】
また、コネクタ本体３３の側壁４３、４４の下段の案内路４６の前方部分に沿って左右にロック機構７０がそれぞれ設けられている。このロック機構７０は、ＳＤカードが挿入された時には、ＳＤカードの段付き部分が当接することによってロック機構７０が解除されて、スライダ３５がフリーとなって移動できるようにするものである。他方、Ｄｕｏカードが挿入された時には、Ｄｕｏカードがロック機構７０に何等当接しないので、ロック機構７０が解除されずにロックされたままなので、スライダ３５は固定されたままである。
【００６７】
図１０、図１１、図１４に示されるように、ロック機構７０は、金属のばね条片を折り曲げて形成されたロック金具７１を有しており、このロック金具７１が、コネクタ本体３３のベース部４０に取付けられている。ロック金具７１は、図示されるように、中程に、偏平なほぼ台形状に形成されて、かつカード挿入口３９の方に向って僅かに傾斜した突状部７２を有しており、カードコネクタ３２のハウジング３２の奥側の折り曲げ部分が頂部７３となっている。
【００６８】
また、ロック金具７１は、カード挿入口３９側の折曲部７４において、例えば圧入等の手段によって、ベース部４０に設けられた溝形の一対の直立壁７６の間に固着されて、片持ち梁状に取付けられている。さらに、ロック金具７１は、奥側の先端部が自由端部になっていて、山形または三角形状に折り曲げられており、ロック爪７５が形成されている。このロック爪７５は、カード挿入口３９の方に向って延出する、スライダ３５の細長い突部７７に形成された孔７８内に、下方から突入できるように形成されている。ロック爪７５が係合されるスライダ３５の孔７８は、コネクタ本体３３の下段の案内路４６に沿ってカード挿入口３９の方に向って突出するように延びる、スライダ３５の細長い突部７７の先端部分に設けられている。
【００６９】
従って、スライダ３５は、常時は、ロック金具７１のロック爪７５が、突部７７の孔７８に係合しており、これによって図１４に示される状態にロックされて固定されている。また、このようなロック機構７０は、両側の側壁４３、４４の下段の案内路４６に沿って前方部分にそれぞれ設けられるのが好適であり、実質的にほぼ同一の構成をなしている。
【００７０】
このようなロック機構７０において、ＳＤカードＡが挿入される時に、図１５に示されるように、ＳＤカードＡの段付き部分によってロック金具７１の頂部７３が下方に押されて、ロック爪７５が、スライダ３５の孔７８から下方に外れることによってロックが解除される。これによって、スライダ３５がフリーになるので、ＳＤカードＡの挿入によってスライダ３５が押されて移動されるようになる。
【００７１】
また、コネクタ本体３３の他方の側壁４４には、カードの書込防止ボタンとしてのライトプロテクトボタンのスライド位置を検出するライトプロテクトスイッチを構成する片持ち梁状に支持された金属ばね片７９を設けることができる。さらに、側壁４４に沿って別のばね部材５０Ｃが設けられていて、スライダ３５に一端が係止されており、カード放出時にスライダ３５を押圧して移動させて、カードを放出するのを助けるようになっている。
【００７２】
このように構成された本発明のカードコネクタの実施例２において、ＳＤカードとＤｕｏカードを実際に使用する場合について、次に説明する。
【００７３】
この場合に、ＳＤカードは、両側の側辺部分が段付き形状に形成された厚いカードである。他方、Ｄｕｏカードは、幅がＳＤカードよりも狭く、かつ薄いカードである。
【００７４】
図１２と図１５は、ＳＤカードを挿入した場合の図で、図１７Ａ、図１７Ｂ、図１７Ｃは、ＳＤカードのロック状態、プッシュ状態、イジェクト状態を示す図である。
【００７５】
図９乃至図１１、図１２、図１５、図１７Ａ乃至図１７Ｃに示されるように、本発明のカードコネクタ３０のカード挿入口３９からＳＤカードＡを挿入すると、ＳＤカードＡは、両側の段付き側辺部分が第１の案内路の上段および下段の案内路４５、４６に係合して、これら上段と下段の案内路４５、４６に沿って案内されて奥の方に向って押し入れられるようになる。そして、先ず、ＳＤカードＡの両側の段付き側辺部分が、ロック機構７０のロック金具７１の頂部７３を押し下げる。
【００７６】
これによって、ロック機構７０のロック金具７１のロック爪７５が、スライダ３５の細長い突部７７の孔７８から下方に外れる。これによって、スライダ３５はロックが解除されて自由になる。そして、ＳＤカードＡの先端面がスライダ３５に当接してスライダ３５を押すので、スライダ３５は、第１の案内路である上段、下段の案内路４５、４６に沿ってさらにスライドされて奥の方に押されて、移動されるようになる。
【００７７】
この場合に、スライダ３５は、中空部分が第１、第２のコンタクト３６、３７の上を通過するので、これら第１、第２のコンタクト３６、３７によってスライダ３５の移動が何等邪魔されることが無い。さらにまた、第１、第２のコンタクト３６、３７も、スライダ３５が当たることが無く、何等損傷されることが無い。
【００７８】
なお、この時に、ＳＤカードＡの先端面がカードコネクタ３０の端壁４１に当たった状態がプッシュ状態で、図１７Ｂに示される状態である。また、この場合に、カム機構４９は、カムレバー６２の端部６２ｂがカム溝６０の一方のカード放出作動開始用ガイド溝６５の端にまで入るようになる。そこで、ＳＤカードＡの押し込みを停止して手を離せば、ＳＤカードＡは、ばね部材５０Ａ、５０Ｂ、５０Ｃによって図１２、図１５、図１７Ａの状態にまで、ごく僅かに押し戻されてロックされて固定される。ＳＤカードＡのこの状態がロック状態である。
【００７９】
従って、このロック状態において、ＳＤカードＡの先端下面側の接触パッド部が、図１５に示されるように、所要位置において第１のコンタクト３６の弾性コンタクト部片５３のカード接触部５４と良好に接触されて、好適に接続されるようになる。この場合に、ＳＤカードＡは、図示されるように、第２のコンタクト３７よりも上方に位置されており、第２のコンタクト３７にはＳＤカードＡが何等全く当たっていない。
【００８０】
また、この場合に、イジェクト機構３８のばね部材５０Ａは、ＳＤカードＡによってスライダ３５と一緒に操作部材４８が奥の方に押されて移動されるために、図示されるように操作部材４８によってばね部材５０Ａが押圧されて圧縮されるようになる。このようなばね部材５０Ａが圧縮された状態で、カム機構６０によってスライダ３５をロック状態に固定することができる。他方、ばね部材５０Ｂは、操作部材４８の移動によって引張られて緊張されるようになっている。
【００８１】
このようにして、本発明のカードコネクタ３０内にＳＤカードＡを所要位置にまで挿入して装着することができる。こうして本発明のカードコネクタ３０に挿入されたＳＤカードＡを取り出すためには、イジェクト機構３８のカム機構４９のカムレバー６２によるロックを解除すれば、ＳＤカードＡはカードコネクタ３０から外方にイジェクトされて放出されるようになる。このイジェクトされた状態が図１７Ｃのイジェクト状態である。
【００８２】
従って、ＳＤカードＡをカードコネクタ３０からイジェクトして放出するためには、図１２、図１５、図１７Ａのロック状態において、ＳＤカードＡを一度軽く押して図１７Ｂのプッシュ状態にする。そこで、ロック状態のＳＤカードＡを軽く押せば、ＳＤカードＡの先端面がカードコネクタ３０の端壁４１に当って、カム機構４９のカムレバー６２の端部６２ｂが一方のカード放出作動開始用ガイド溝６５に入る。この状態が図１７Ｂのプッシュ状態である。
【００８３】
そこで、このプッシュ状態において、ＳＤカードＡから手を離せば、カムレバー６２の端部６２ｂは、カード放出作動開始用ガイド溝６５からガイド溝６３に入り、このガイド溝６３から直線状ガイド溝６８へと入るので、スライダ３５と一体に操作部材４８がイジェクト機構３８の圧縮されたばね部材５０Ａの圧縮力によって押圧される。
【００８４】
これと同時に、スライダ３５は、ばね部材５０Ｂの引張力によっても引張られるために、スライダ３５が、第１の案内路である上段と下段の案内路４５、４６とに沿ってカード挿入口３９の方に向って移動されて、ＳＤカードＡが押し出されるようになる。この状態が図１７Ｃのイジェクト状態である。このようにして、ＳＤカードＡが押し出されてイジェクトされるので、ＳＤカードＡをカードコネクタ３０から取出すことができるようになる。
【００８５】
このようなＳＤカードの挿入、抜き出しが行なわれる場合に、イジェクト機構３８における操作部材４８のカム溝６０とカムレバー６２とのカム作動は、以下のようにして行われる。
【００８６】
先ず、図１０、図１１において、ＳＤカードＡがまだ挿入されていない挿入前のフリーな状態でのカードコネクタ３０において、カムレバー６２のカムホロワとしての端部６２ｂは、直線状ガイド溝６８内に位置されている。
【００８７】
この状態において、例えば、ＳＤカードＡをカードコネクタ３０内に挿入すれば、ＳＤカードＡによってスライダ３５が押されてカードコネクタ３０内に移動される。従って、カムレバー６２の端部６２ｂは、直線状ガイド溝６８を移動して、直線状ガイド溝６８から第１ガイド溝６３に入り、ハート形カム６１の一方の側のループ状部分に沿って第１ガイド溝６３内を移動して、一方のカード放出作動開始用ガイド溝６５に入る。
【００８８】
この時に、ＳＤカードＡは、カードコネクタ３０の一番奥にまで押込められて、ばね部材５０Ａが押されて圧縮される。ここで、ＳＤカードＡの挿入を停止してＳＤカードＡから手を放せば、スライダ３５はばね部材５０Ａ、５０Ｃのばね力によって押し戻されて、カムレバー６２の端部６２ｂが凹み溝６６に入り、カムレバー係止部６７に当接して停止され、この位置において安定して固持される。この状態が、ＳＤカードＡが挿入された状態で、第１のコンタクト３６がＳＤカードＡの先端部下面の接触パッド部と接触されて所定の接続状態が得られる。これによって、ＳＤカードＡの挿入が完了し、ＳＤカードＡがカードコネクタ３０内に装着されて、ロックされる。この状態が図１７Ａのロック状態である。
【００８９】
このようなＳＤカードＡが挿入されたロック状態（図１７Ａ）から、ＳＤカードＡを抜き出すには、挿入されてロックされているＳＤカードＡを、奥の方に一度、軽く押し込んで、ＳＤカードＡの先端面が端壁４１に当接したプッシュ状態（図１７Ｂ）にする。このようなプッシュ状態においては、カムレバー６２の端部６２ｂが、ハート形カム６１の凹み溝６６のカムレバー用係止部６７から外され、他方のカード放出作動開始用ガイド溝６５に入るようになる。これによって、操作部材４８は、カムレバー６２によるロック状態から解除されてフリーな状態になるので、ばね部材５０Ａ、５０Ｃの押圧力によって放出方向に押し出されるようになる。従って、カムレバー６２の端部６２ｂは、カード放出作動開始用ガイド溝６５から第２ガイド溝６４へと移動して、さらに直線状ガイド溝６８へと移動するようになる。
【００９０】
こうして、ＳＤカードＡがカードコネクタ３０からイジェクト機構３８によって放出され、スライダ３５の突部７７がコネクタ本体３３の直立壁７６の端部に当接して停止される。この状態が、図１７Ｃのイジェクト状態である。さらに、この場合に、コネクタ本体３３の直立壁７６がストッパーとして良好に作用するようになる。
【００９１】
次いで、ＳＤカードＡの端を持ってカードコネクタ３０からＳＤカードＡを取り出すことによって、ＳＤカードＡの抜き出しが完了する。こうして、ＳＤカードＡが完全に抜き出されると、ロック機構７０のロック部材７１が自由になって、上方の位置に自己の弾性によって戻って、先端のロック爪７５が、スライダ３５の細長い突部７７の孔７８の下方から突入して係合し、スライダ３５をロックするようになる。
【００９２】
上述した本発明のカードコネクタ３０におけるＳＤカードＡのロック状態、プッシュ状態、イジェクト状態が図１７Ａ乃至図１７Ｃに示されている。図１７Ａは、ＳＤカードＡのロック状態を示す平面概要図で、ＳＤカードＡは、カードコネクタ３０から長さＳＬだけ突出している。また、図１７Ｂは、ＳＤカードＡのプッシュ状態を示す平面概要図で、ＳＤカードＡは、カードコネクタ３０から長さＳＰだけ突出している。さらに、図１７Ｃは、ＳＤカードＡのイジェクト状態を示す平面概要図で、ＳＤカードＡは、カードコネクタ３０から長さＳＩだけ突出している。こようなＳＤカードＡの突出長さＳＬ、ＳＰ、ＳＩは、ＳＰ＜ＳＬ＜ＳＩの順で、ＳＰが最も短く、次ぎがＳＬで、そしてＳＩの順である。
【００９３】
また、上述のＳＤカードＡに代って、ＤｕｏカードＢを挿入する場合には、ＤｕｏカードＢは、ＳＤカードＡよりも幅が狭く、かつ厚さも薄いので、カードコネクタ１のカード挿入口９において、下方側のさらに内側の第２の案内路を形成する直立壁７６の側面６６ａと、スライダ３５の突部７７の側面７７ａと、の間に嵌合されて挿入されるようになる。従って、ＤｕｏカードＢは、この下方側の第２の案内路を形成する側面６６ａ、７７ａに沿って、カードコネクタ３０内の奥の方に向って押し入れられるようになる。
【００９４】
そして、ＤｕｏカードＢの先端部が、スライダ３５の中空部分と切除部分とを通って、スライダ３５の中空部分と切除部分とに入れられるようになる。この場合に、ＤｕｏカードＢの先端下面側の接触パッド部が、図１６に示されるように、第２のコンタクト３７の弾性コンタクト部片５６のカード接触部５７と良好に接触されて、好適に接続されるようになる。このような場合に、ＤｕｏカードＢは、図示されるように、上段の第１のコンタクト３６よりも下方に位置されており、上段の第１のコンタクト３６にはＤｕｏカードＢが何等当たっていない。
【００９５】
また、このような場合に、イジェクト機構３８のばね部材５０Ａ、５０Ｂは、ＤｕｏカードＢがスライダ３５の中空部分と切除部分との中に入るために、スライダ３５が何等移動されることが無く、ばね部材５０Ａ、５０Ｂも何等附勢されないために緊張されることがなく、スライダ３５は、図１６に示されるように不動のままである。
【００９６】
そして、このように、本発明のカードコネクタ３０に挿入されたＤｕｏカードＢを取り出すためには、単にＤｕｏカードＢの端部を持って引き出せば、ＤｕｏカードＢは何等不都合なく好適に引き出されて下段の第２のコンタクト３７から、ＤｕｏカードＢの接触パッド部が第２のコンタクト３７のカード接触部５７から離されて、ＤｕｏカードＢがカードコネクタ３０から好適に引き出されるようになる。
【００９７】
上述した本発明のカードコネクタ３０におけるＤｕｏカードのロック状態、プッシュ状態、イジェクト状態が図１８Ａ乃至図１８Ｃに示されている。図１８Ａは、ＤｕｏカードＢのロック状態を示す平面概要図で、この場合、ＤｕｏカードＢは、カードコネクタ３０から長さＳＬだけ突出している。また、図１８Ｂは、ＤｕｏカードＢのプッシュ状態を示す平面概要図で、ＤｕｏカードＢは、カードコネクタ３０から長さＳＰだけ突出している。さらにまた、図１８Ｃは、ＤｕｏカードＢのイジェクト状態を示す平面概要図で、ＤｕｏカードＢは、カードコネクタ３０から長さＳＩだけ突出している。
【００９８】
上述したように構成された本発明のカードコネクタ３０によれば、カードコネクタ３０のカード挿入口３９において、外形寸法形状が相違し、かつ挿入口方向の厚さ寸法が異なるＳＤカードＡやＤｕｏカードＢ等を、本発明のこの同一のカードコネクタ３０のカード挿入口３９のスロットとしての第１の案内路を形成する上段と下段の案内路４５、４６によって段付き形状の厚さの厚いＳＤカードＡを、そして、幅が狭く、厚さの薄いＤｕｏカードＢが同一機器のカードコネクタ３０において、第２の案内路を形成する直立壁６６の内側の側面６６ａとスライダ３５の突部７７の内側の側面７７ａとによってそれぞれ良好に案内する。そして、上段の第１のコンタクト３６と下段の第２のコンタクト３７とにＳＤカードＡとＤｕｏカードＢの接触パッド部を、それぞれ良好に接触されるようになる。
【００９９】
従って、挿入されたＳＤカードＡとＤｕｏカードＢ等の接触パッド部が、カードコネクタ３０の上段または下段のコンタクト３６、３７のカード接触部５４、５７とそれぞれ好適に接触されて接続されるようになる。
【０１００】
これによって、このような外形寸法の異なるＳＤカードＡやＤｕｏカードＢが挿入された場合においても同一のカードコネクタ３０を共用して、ＳＤカードＡやＤｕｏカードＢと確実に接触することができ、しかも、ＳＤカードＡやＤｕｏカードＢ等の接触パッド部から上段および下段のコンタクト３６、３７のカード接触部５４、５７が脱落してリードエラーが発生しないように保護することができる。
【０１０１】
（実施例３）
図１９乃至図２６には、本発明のカードコネクタの実施例３が示されており、図１９は、本発明の実施例３におけるカードコネクタの斜視図で、図２０は、図１９のカードコネクタを、カバー部材を取り除いて示す斜視図、図２１は、カバー部材を取り除いた、図２０のカードコネクタの平面図で、図２２は、ＳＤカードを挿入した時の斜視図、図２３は、Ｄｕｏカードを挿入した時の斜視図で、図２４は、カバー部材を取り除いた、図２０のカードコネクタの側断面図、図２５は、ＳＤカードを挿入した時の側断面図で、図２６は、Ｄｕｏカードを挿入した時の側断面図である。
【０１０２】
また、本発明のカードコネクタのこの実施例３においても、カードとして、例えばＳＤカードとＤｕｏカードとが使用されるよう適用されるが、本発明は、これらＳＤカードやＤｕｏカードの使用にのみ制限されるものではなく、他の同様なカードにも適用できることは勿論である。
【０１０３】
図示されるように、本発明の実施例３におけるカードコネクタ８０は、コネクタ本体８３にカバー部材８４を組合せて形成される偏平な中空構造のハウジング８２と、このハウジング８２内に滑動可能に設けられたスライダ８５と、ハウジング８４内に向かい合わせに対向して設置された複数個の第１のコンタクト８６および第２のコンタクト８７と、ハウジング８２の一方の側壁９３に設けられたイジェクト機構８８とを有している。
【０１０４】
本発明のこの実施例３のカードコネクタ８０において、ハウジング８２は、コネクタ本体８３とカバー部材８４とを組み合わせて偏平で中空な形状に構成されている。さらにまた、ハウジング８２は、一端が開口されていて、この開口側にカード挿入口８９が形成されており、他方の側が閉鎖されていて端壁９１が設けられている。ハウジング８２のこの端壁９１には、複数個の孔９２が横方向に間隔を置いて整列して設けられており、これら孔９２の各々に位置するように第１のコンタクト８６が夫々嵌め込まれて固定されている。
【０１０５】
さらに、これら第１のコンタクト８６の各々に対応して第２のコンタクト８７が向かい合うようにハウジング８２内においてコネクタ本体３３上に取り付けられている。しかも、これら第１のコンタクト３６と第２のコンタクト３７とは、図２０乃至図２６に示されるように、同一線上よりも僅かにずれた位置に、ほぼ平行に向かい合わせに配置されている。
【０１０６】
コネクタ本体８３は、平板状のベース部９０と、このベース部９０の両側の側壁９３、９４と、第１のコンタクト８６が設置される端壁９１とを有している。
【０１０７】
さらに、コネクタ本体８３には、両側の側壁９３、９４に沿ってＳＤカードの側縁を案内する第１の案内路を形成する上段の案内路９５と下段の案内路９６とが、段付き形状に形成されている。これら第１の案内路を形成する上段の案内路９５と下段の案内路９６は、上段の案内路９５が上側に幅が広く形成されており、下段の案内路９６が上段の案内路９５よりも幅が狭いように下側に形成されていて、２段の段付き形状に作られている。
【０１０８】
従って、これら第１の案内路を形成する上段の案内路９５と下段の案内路９６とが、例えばＳＤカードの両側の段付部を案内するように段付き側辺部分に係合してＳＤカードをスライドできるように形成されている。そして、後に詳しく説明されるように、スライダ８５の側壁部の側面と、操作部材９８のカード受け部１０９に隣接して、Ｄｕｏカードの角部が係合する係合部１３２が切り欠かれている。従って、切り欠かれた係合部１３２の側面１３２ａ部分が、第２の案内路を形成する側面を形成して、Ｄｕｏカードの両側の側辺部分に係合してＤｕｏカードを案内できるように形成されている。
【０１０９】
さらにまた、コネクタ本体８３のベース部９０上に、かつ第１の案内路の上段の案内路９５に沿ってスライダ８５が良好にスライドできるように、スライダ８５が第１の案内路の上段の案内路９５に係合するように装着されている。
【０１１０】
さらに、コネクタ本体８３の一方の側壁９３には、ほぼ全長に亙って切り欠かれていて、第１の案内路の上段の案内路９５とほぼ平行に細長い空所としてスライド溝９７が形成されている。そして、この細長いスライド溝９７内には、ＳＤカードとＤｕｏカードとを放出するためのイジェクト機構８８が設けられている。
【０１１１】
コネクタ本体８３と組合せられるカバー部材８４は、金属薄板を、例えば打抜きやプレス加工等によって折り曲げ加工されて作られ、両側に側壁９１、９１が設けられている。このカバー部材８４の側壁１０１、１０１には、細長い矩形状の開口１０１ａが設けられていて、コネクタ本体８３の両側の側壁９３、９４のラッチ爪１０２が係止されるように形成されている。また、カバー部材８４の前方端部側には、カードを取り出すための切欠きが設けられていて、カード用の開口８４Ａが形成されている。
【０１１２】
また、コネクタ本体８３とカバー部材８４とから形成されるハウジング８２内に滑動可能に設けられたスライダ８５は、コネクタ本体８３のベース部９０上を、両側の側壁９３、９４の第１の案内路の上段の案内路９５と下段の案内路９６とに沿って滑動可能に設けられている。さらに、スライダ８５は、ほぼ平板状に形成された板状部１３３を有していて、奥の方の端部に直立する端壁部１３４と、側壁９４側に側壁部１３５とを有している。これによって、ＳＤカードが挿入される時に、ＳＤカードの前端面が側壁部１３５の端部１３５ａに係合して押すことによって移動されるように形成されている。また、Ｄｕｏカードの場合には、スライダ８５の側壁部１３５の内側の面に、Ｄｕｏカードの一方の側面が接触するようになる。
【０１１３】
また、スライダ８５の板状部１３３には、滑動方向に平行に細長い第１の長孔１３６と第２の長孔１３７とが設けられている。これら第１、第２の長孔１３６、１３７は、スライダ８５の滑動によって第１、第２のコンタクト８６、８７のいずれかが突出するように切換え可能な構造に形成されている。すなわち、ＳＤカードが挿入されてスライダ８５が滑動される時には、第１の長孔１３６が第１のコンタクト８６の位置と合致して第１のコンタクト８６のカード接触部１０４が突出できるようになる。
【０１１４】
また、Ｄｕｏカードが挿入される時には、スライダ８５は、図２０に示される停止したロック位置にあって、この位置においては、第２の長孔１３７が第２のコンタクト８７の位置と合致して第２のコンタクト８７のカード接触部１０７が突出できるようになっている。
【０１１５】
図示されるように、第１のコンタクト８６は、一端にＳＤカードの接触パッド部と接触するための片持ち梁形の円弧状のカード接触部１０４が形成された弾性コンタクト部片１０３を有している。また、第１のコンタクト８６は、基板のプリント回路と接続されるための端子部１０５を有している。さらに、この第１のコンタクト８６は、この端子部８５の近傍においてコネクタ本体８３の端壁９１の孔９２に、弾性コンタクト部片１０３の根元部分が圧入されることによって固着されている。従って、第１のコンタクト８６は、弾性コンタクト部片１０３の根元部分において片持ち梁状に弾性支持されており、ＳＤカードが挿入されてスライダ８５が内方に押されて移動された時に、第１のコンタクト８６の自由端部側のカード接触部１０５がスライダ８５の、第１の長孔１３６から上方に突出してＳＤカードの先端部下面の接触パッド部と接触して接続されるようになっている。
【０１１６】
このような第１のコンタクト８６とほぼ同様に第２のコンタクト８７も弾性コンタクト部片１０６、カード接触部１０７、端子部１０８が設けられており、コネクタ本体８４のベース部材９０上に、第１のコンタクト８６とほぼ向い合って所要の間隔だけ僅かにずれた延長線上の位置に配置されている。さらに、この第２のコンタクト８７は、コネクタ本体８４のベース部材９０上の溝内に、弾性コンタクト部片１０６の根元部分が圧入されて固着されることによって、片持ち梁状に弾性支持され、かつしっかりと取り付けられている。また、これら第１、第２のコンタクト８６、８７の形状が、図２４乃至図２６に明示されている。
【０１１７】
このように、本発明の実施例３のカードコネクタ８０においては、第１のコンタクト８６が奥の方に配置されており、この第１のコンタクト８６と向かい合わせに対向する形で、第２のコンタクト８７がカード挿入口８９側に、ほぼ同一延長線上に配置されている。従って、ＳＤカードが挿入される時に、スライダ８５の第１の長孔１３６から上方に突出した第１のコンタクト８６のカード接触部１０４が、ＳＤカードの接触パッド部と接触されて接続される。
【０１１８】
また、Ｄｕｏカードが挿入される時には、ロック位置にあるスライダ８５の第２の長孔１３７から上方に突出する第２のコンタクト８７のカード接触部１０７がＤｕｏカードの接触パッド部と接触されて接続されるように構成されている。従って、スライダ８５は、コネクタ本体８３のベース部９０上を滑動することによって、板状部１３３が切換えのための仕切壁として作用する。これによって、スライダ８５は、第１、第２のコンタクト８６、８７のいずれか一方のコンタクトが突出するように切換え作動され、かつ他方のコンタクトが抑えられて仕切られるように作用するものである。
【０１１９】
イジェクト機構８８は、スライダ８５の一側に横方向に突出するようにスライダ８５の上に別体に設けられた操作部材９８と、この操作部材９８に設けられたカム機構９９と、操作部材９８を両側から押圧または引張るように設けられた一対のばね部材１００Ａ、１００Ｂと、ＳＤカードの挿入時にＳＤカードと係合して操作部材９８と連動して滑動するように設けられた作動部材１２６とを有している。
【０１２０】
ばね部材１００Ａは圧縮コイルスプリングが良く、ばね部材１００Ｂは引張コイルスプリングが好適である。従って、スライダ８５は、イジェクト機構８８のこのようなばね部材１００Ａ、１００ＢによってＳＤカードを放出することができるように弾性偏倚されるように形成されている。
【０１２１】
また、操作部材９８には、ＳＤカードＡの切り欠かれた角部が係合するカード受け部１０９が設けられている。このカード受け部１０９は、ＳＤカードＡの裏返し挿入を防止するために、角部が面取り等によって切り落とされたＳＤカードＡの切欠き部を受けて良好に係合できるように形成されている。このために、ＳＤカードＡを裏返しに挿入した時には、ＳＤカードＡの切り欠かれていない角部がカード受け部１０９に当接するために、ＳＤカードＡの角部とカード受け部１０９とが合致せず、ＳＤカードＡの挿入が不可能になり、ＳＤカードＡの裏差しを防止することができる。
【０１２２】
さらに、操作部材９８と連動して、あるいは単独で滑動可能に作動部材１２６が設けられている。この作動部材１２６は、ロック機構１２０のロック部材としても作動するもので、ロック金具１２１のロック爪１２５が係合するためのロック用の孔１２８が設けられている。また、この作動部材１２６には、ＳＤカードＡの切欠き部が係合するカード受け部１２７が設けられており、操作部材９８のカード受け部１０９と協同してＳＤカードＡの切欠き部を良好に受けることができるように形成されている。
【０１２３】
図２０、図２１、図２４に示されるように、イジェクト機構８８のカム機構９９は、操作部材９８の上面に形成されたほぼＹ字形のカム溝１１０と、このほぼＹ字形のカム溝１１０の脚部の間に形成されたハート形カム１１１と、一端がコネクタ本体８３の側壁９３に回動可能に支持されて他端がカム溝１１０に係合されたカムレバー１１２とを有している。カムレバー１１２は、本体部分が真直ぐなレバーをなしており、両端部１１２ａ、１１２ｂがほぼ直角に折り曲げられた、偏平なほぼコ字形をなしている。
【０１２４】
ほぼＹ字形をしたカム溝１１０は、ループ状に形成されていて、ハート形カム１１１の両側の第１ガイド溝１１３と第２ガイド溝１１４と、これら第１、第２ガイド溝１１３、１１４の延長として形成された一対のカード放出作動開始用ガイド溝１１５と、ハート形カム１１の頭部に形成されたカムレバー用係止部１１７を有する凹み溝１１６と、直線状ガイド溝１１８とを有している。従って、カムレバー１１２の他端部１１２ｂがカムホロワとしてこのカム溝１１０に係合して、ＳＤカードやＤｕｏカードを挿入する時に、操作部材９８の移動によってカム溝１１０に沿って従動するように形成されている。さらにまた、カムレバー１１２の脱落を防止するために、カバー部材８４の一側にカムレバー押え１１９が設けられている。
【０１２５】
また、コネクタ本体８３の側壁９３、９４の下段の案内路９６の前方部分に沿って左右両側にロック機構１２０がそれぞれ設けられている。このロック機構１２０は、ＳＤカードＡが挿入された時には、ＳＤカードＡの段付き部分が当接することによってロック機構１２０が解除されて、作動部材１２６がフリーとなって操作部材９８と一緒に移動できるようにするものである。
【０１２６】
他方、Ｄｕｏカードが挿入された時には、Ｄｕｏカードがロック機構１２０に何等当接しないので、ロック機構１２０が解除されずにロックされたままなので、スライダ８５は固定されたままである。しかしながら、このＤｕｏカードの挿入時には、Ｄｕｏカードの先端角部が、作動部材１２６の係合部１３２に係合して操作部材９８を押すように作用する。この場合に、Ｄｕｏカードの他方の角部は、側面部分がスライダ８５の側壁部１３５の内側の側面に沿って接触するようになる。
【０１２７】
図２０、図２１、図２５に示されるように、ロック機構１２０は、金属のばね条片を折り曲げて形成されたロック金具１２１を有しており、このロック金具１２１が、コネクタ本体８３のベース部９０の前方のカード挿入口８９付近に取付けられている。ロック金具１２１は、図示されるように、中程に、偏平なほぼ台形状に形成されて、かつカード挿入口８９の方に向って僅かに傾斜した突状部１２２を有しており、カードコネクタ８０のハウジング８２の奥側の方の折り曲げ部分が頂部１２３となっている。また、ロック金具１２１は、カード挿入口３９側の折曲部１２４において、例えば圧入等の手段によって、ベース部９０から前方に突出する細長い突出壁１３０に設けられた溝部に固着されて、片持ち梁状に取付けられている。さらに、ロック金具１２１は、奥側の先端部が自由端部になっていて、山形または三角形状に折り曲げられており、ロック爪１２５が形成されている。
【０１２８】
このロック爪１２５は、カード挿入口８９側のスライダ８５の角部に形成された孔１２８内に、下方から突入できるように形成されている。ロック爪１２５が係合されるスライダ８５の孔１２８は、コネクタ本体８３の下段の案内路９６に沿ってカード挿入口８９側の方に延びる、スライダ８５の先端角部に設けられている。
【０１２９】
従って、スライダ８５は、常時は、ロック金具１２１のロック爪１２５が、孔１２８に係合していることによって、図２４に示される状態にロックされて固定されている。また、このようなロック機構１２０は、両側の側壁９３、９４の下段の案内路９６に沿ってコネクタ本体８３のベース部９０にそれぞれ設けられるのが好適であり、実質的にほぼ同一の構成をなしている。
【０１３０】
このようなロック機構１２０において、ＳＤカードＡが挿入される時に、図２２、２５に示されるように、ＳＤカードＡの段付き部分によってロック金具１２１の頂部１２３が下方に押されて、ロック爪１２５が、スライダ８５の孔１２８から下方に外れることによってロックが解除される。これによって、スライダ８５がフリーになるので、ＳＤカードＡの挿入によって、先ず、作動部材１２６が押されて操作部材９８と係合される。
【０１３１】
続いて、作動部材１２６と操作部材９８とがさらに押されて移動され、次いで、ＳＤカードＡの先端面がスライダ８５の側壁部１３５の端面１３５ａに係合してスライダ８５を押すようになる。これによって、スライダ８５が押されて移動されるようになる。
【０１３２】
また、この場合に、スライダ８５が移動されることによって、スライダ８５の第２の長孔１３７から突出していた第２のコンタクト８７が下方に押されてスライダ８５の下に潜るようになると共に、スライダ８５の第１の長孔１３６が第１のコンタクト８６の上の位置に来るようになり、そこで第１のコンタクト８６の弾性コンタクト部片１０３が長孔１３６から上方に突出するようになる。これによって、ＳＤカードＡの接触パッド部が、第１のコンタクト８６のカード接触部１０６と接触されて接続されるようになる。
【０１３３】
また、コネクタ本体３３の他方の側壁４４には、カードの書込防止ボタンとしてのライトプロテクトボタンのスライド位置を検出するライトプロテクトスイッチを構成する片持ち梁状に支持された金属ばね片１２９を設けることができる。さらに、側壁９４に沿って別のばね部材１００Ｃが設けられていて、スライダ８５に一端が係止されており、ＳＤカードの放出時にスライダ８５を押圧して移動させて、ＳＤカードを放出するのを助けるようになっている。
【０１３４】
このように構成された本発明のカードコネクタの実施例３において、ＳＤカードとＤｕｏカードを実際にそれぞれ使用する場合について、次に説明する。
【０１３５】
この場合に、ＳＤカードは、両側の側辺部分が段付き形状に形成された厚いカードである。他方、Ｄｕｏカードは、幅がＳＤカードよりも狭く、かつ薄いカードである。
【０１３６】
図２２と図２５は、ＳＤカードを挿入した場合の図である。図示されるように、本発明のカードコネクタ８０のカード挿入口８９からＳＤカードＡを挿入すると、ＳＤカードＡは、両側の段付き側辺部分が第１の案内路の上段および下段の案内路９５、９６に係合して、これら上段と下段の案内路９５、９６に沿って案内されて奥の方に向って押し入れられるようになる。
【０１３７】
そして、先ず、ＳＤカードＡの両側の段付き側辺部分が、ロック機構１２０のロック金具１２１の頂部１２３を押し下げる。これによって、ロック機構１２０のロック金具１２１のロック爪１２５が、スライダ８５の孔１２８から下方に外れる。これによって、スライダ８５はロックが解除されて自由になる。  そして、ＳＤカードＡの続いての挿入によって、ＳＤカードＡの先端の切欠き部の面が操作部材９８のカード受け部１０９と、スライダ８５の側壁部１３５の端面１３５ａと、作動部材１２６のカード受け部１２７とに当接して、スライダ８５と操作部材９８と作動部材１２６とを押すので、スライダ８５は、操作部材９８と作動部材１２６と一体となって一緒に、第１の案内路である上段、下段の案内路９５、９６に沿って、ベース部９０上をさらにスライドされて奥の方に押されて、移動されるようになる。
【０１３８】
この場合に、スライダ８５は、第２のコンタクト８７の上を板上部１３３が通過するので、これによって第２のコンタクト８７が第２の長孔１３７を通って下方に押し下げられてスライダ８５の板状部１３３の下に押しやられる。これと同時に、スライダ８５の第１の長孔１３６が第１のコンタクト８６の上の位置に来ることによって、第１のコンタクト８６がこの第１の長孔１３６を通って上方に突出するようになる。これによって、上方に突出した第１のコンタクト８６は、カード接触部１０４がＳＤカードＡの先端下面の接触パッド部と接触するようになる（図２５）。
【０１３９】
この時に、カム機構９９のカムレバー１１２は、端部１１２ｂが、カム溝１１０の直線状ガイド溝１１８、第１ガイド溝１１３を経て、凹み溝１１６内に入り、カムレバー用係止部１１７に係合して、そこで停止してロックされた状態となる。従って、ＳＤカードＡがカードコネクタ３０内に挿入された図２２、図２５のロック状態となる。
【０１４０】
このようなロック状態において、ＳＤカードＡの先端下面側の接触パッド部が、図２５に示されるように、所要位置において第１のコンタクト８６の弾性コンタクト部片１０３のカード接触部１０４と良好に接触されて、好適に接続されるようになる。この場合に、ＳＤカードＡは、図示されるように、第２のコンタクト８７に対しては、スライダ８５の板状部１３３の下の位置にあって、第２のコンタクト８７にはＳＤカードＡが何等全く当接していない。
【０１４１】
また、この場合に、イジェクト機構８８のばね部材１００Ａは、ＳＤカードＡによってスライダ８５と一緒に操作部材９８が奥の方に押されて移動されるために、図示されるように操作部材９８によってばね部材１００Ａが押圧されて圧縮されるようになる。このようなばね部材１００Ａが圧縮された状態で、カム機構９９によってスライダ８５をロック状態に固定することができる。他方、ばね部材１００Ｂは、操作部材９８の移動によって引張られて緊張されるようになっている。
【０１４２】
このようにして、本発明のカードコネクタ８０内にＳＤカードＡを所要位置にまで挿入して装着することができる。こうして本発明のカードコネクタ８０に挿入されたＳＤカードＡを取り出すためには、イジェクト機構８８のカム機構９９のカムレバー１１２によるロックを解除すれば、ＳＤカードＡはカードコネクタ８０から外方にイジェクトされて放出されるようになる。このイジェクトされた状態が図２０、図２１、図２４の状態である。
【０１４３】
従って、ＳＤカードＡをカードコネクタ８０からイジェクトして放出するためには、図２２、図２５のロック状態において、ＳＤカードＡを一度軽く押して、スライダ８５が端壁９１に当接し、操作部材９８がスライド溝９７の端壁に当接したプッシュ状態にする。これによって、カム機構９９のカムレバー１１２の端部１１２ｂが一方のカード放出作動開始用ガイド溝１１５に入る。この状態がプッシュ状態である。
【０１４４】
そこで、このプッシュ状態において、ＳＤカードＡから手を離せば、カムレバー１１２の端部１１２ｂは、カード放出作動開始用ガイド溝１１５からガイド溝１１４に入り、このガイド溝１１４から直線状ガイド溝１１８へと入るので、スライダ８５と一緒に操作部材９８と作動部材１２６とがイジェクト機構８８の圧縮されたばね部材１００Ａの圧縮力によって押圧される。これと同時に、スライダ８５は、ばね部材１００Ｃの押圧力によっても押されるために、スライダ８５が、第１の案内路である上段と下段の案内路９５、９６とに沿ってベース部９０上をカード挿入口８９の方に向って移動されて、ＳＤカードＡが押し出されるようになる。この状態が図２０のイジェクト状態である。
【０１４５】
このようにして、ＳＤカードＡが押し出されてイジェクトされるので、ＳＤカードＡをカードコネクタ８０から取出すことができるようになる。これと同時に、操作部材９８と作動部材１２６も一緒に移動されて、スライダ８５の孔１２８にロック機構１２０のロック爪１２５が係合されるので、作動部材１２６と操作部材９８がスライダ８５と一緒にロックされた状態になる。
【０１４６】
このようなＳＤカードの挿入、抜き出しが行なわれる場合に、イジェクト機構８８における操作部材９８のカム溝１１０とカムレバー１１２とのカム作動は、以下のようにして行われる。
【０１４７】
先ず、図２０、図２１において、ＳＤカードＡがまだ挿入されていない挿入前のフリーな状態でのカードコネクタ８０において、カムレバー１１２のカムホロワとしての端部１１２ｂは、直線状ガイド溝１１８内に位置されている。この状態において、例えば、ＳＤカードＡをカードコネクタ８０内に挿入すれば、ＳＤカードＡによって、ロック機構１２０のロック金具１２１が押し下げられてロック機構１２０のロックが解除される。続いて、ＳＤカードＡを挿入すればフリーになった作動部材１２６と操作部材９８とスライダ８５とが押されて、カードコネクタ８０内に移動される。従って、カムレバー１１２の端部１１２ｂは、直線状ガイド溝１１８を移動して、直線状ガイド溝１１８から第１ガイド溝１１３に入り、ハート形カム１１１の一方の側のループ状部分に沿って第１ガイド溝１１３内を移動して、一方のカード放出作動開始用ガイド溝１１５に入る。
【０１４８】
この時に、ＳＤカードＡは、カードコネクタ８０の一番奥にまで押込められて、ばね部材１００Ａが押されて最も圧縮された状態となる。ここで、ＳＤカードＡの挿入を停止してＳＤカードＡから手を放せば、スライダ８５は、ばね部材１００Ａ、１００Ｃのばね力によって押し戻されて、カムレバー１１２の端部１１２ｂが凹み溝１１６に入り、カムレバー係止部１１７に当接して停止され、この位置において安定して固持される。この状態が、ＳＤカードＡが挿入された状態で、第１のコンタクト８６がＳＤカードＡの先端部下面の接触パッド部と接触されて所定の接続状態が得られる。
【０１４９】
これによって、ＳＤカードＡの挿入が完了し、ＳＤカードＡがカードコネクタ８０内に装着されて、ロックされる。この状態が図２２、図２５のＳＤカードＡが挿入されてロックされた状態である。この状態においては、第２のコンタクト８７は、スライダ８５の下に位置されており、第１のコンタクト８６だけがＳＤカードＡの接触パッド部に接触されている。
【０１５０】
このようなＳＤカードＡが挿入されたロック状態（図２０、図２２）から、ＳＤカードＡを抜き出すには、挿入されてロックされているＳＤカードＡを、奥の方に一度、軽く押し込んで、ＳＤカードＡの先端面が端壁９１に当接したプッシュ状態にする。このようなプッシュ状態においては、カムレバー１１２の端部１１２ｂが、ハート形カム１１１の凹み溝１１６のカムレバー用係止部１１７から外され、他方のカード放出作動開始用ガイド溝１１５に入るようになる。
【０１５１】
これによって、操作部材９８は、カムレバー１１２によるロック状態から解除されてフリーな状態になるので、ばね部材１００Ａ、１００Ｃの押圧力によって放出方向に押し出されるようになる。従って、カムレバー１１２の端部１１２ｂは、カード放出作動開始用ガイド溝１１５から第２ガイド溝１１４へと移動して、さらに直線状ガイド溝１１８へと移動するようになる。
【０１５２】
こうして、ＳＤカードＡがカードコネクタ８０からイジェクト機構８８によって放出され、操作部材９８がコネクタ本体８３のスライド溝９７の端部に当接して停止される。この状態が、図２０のイジェクトされてロックされた状態である。さらに、この場合に、コネクタ本体３３のスライド溝９７の端部壁がストッパーとして良好に作用するようになる。次いで、ＳＤカードＡの端を持ってカードコネクタ８０からＳＤカードＡを取り出すことによって、ＳＤカードＡの抜き出しが完了する。
【０１５３】
こうして、ＳＤカードＡが完全に抜き出されると、ロック機構１２０のロック部材１２１が自由になって、上方の位置に自己の弾性によって戻って、先端のロック爪１２５が、スライダ８５の孔１２８の下方から突入して係合し、スライダ８５をロックし、ロック状態とするようになる。
【０１５４】
上述した本発明のカードコネクタ８０におけるＳＤカードＡのロック状態が図２２、図２５に示されている。
【０１５５】
また、上述のＳＤカードＡに代って、ＤｕｏカードＢを挿入する場合には、ＤｕｏカードＢは、ＳＤカードＡよりも幅が狭く、かつ厚さも薄いので、カードコネクタ８０のカード挿入口８９の、側壁９３側においては、内側の第２の案内路が、操作部材９８の係合部１３２の側面１３２ａと、作動部材１２６の内側の面とによって形成されている。また、側壁９４側においては、第２の案内路が、スライダ８５の側壁部１３５の内側の面によって形成されている。
【０１５６】
従って、ＤｕｏカードＢは、係合部１３２と側壁部１３５のこれら側面の間に嵌合されて挿入されるようになる。また、この場合に、ＤｕｏカードＢの先端部の他方の側面は、スライダ８５の側壁部１３５の内方の側面に沿ってスライドするようになる。これによって、挿入されたＤｕｏカードＢは、先ず、操作部材９８の係合１３２部に係合されて、操作部材９８を内方に押すようになる。
【０１５７】
これによって、ＤｕｏカードＢの挿入により、操作部材９８だけが押されて内方にスライドされ、ＤｕｏカードＢの先端部下面の接触パッド部が、ロックされて固定された状態のスライダ８５の第２の長孔１３７から上方に突出している第２のコンタクト８７のカード接触部１０７と接触して接続されるようになる。この場合に、スライド８５と作動部材１２６は固定されたままであり、動くことがない。
【０１５８】
また、ＤｕｏカードＢが側壁９３側に偏って挿入されても、ＤｕｏカードＢの先端角部が作動部材１２６のカード受け部１２７に当たって内側へと逸らされて、操作部材９８の係合部１３２に係合するように導かれて好適に係合されるようになる。
【０１５９】
従って、この状態で、ＤｕｏカードＢを押して挿入して行けば、ＤｕｏカードＢによって操作部材９８だけが押されて移動され、第２の案内路を形成する側面１３２ａによって、カードコネクタ８０内の奥の方に向って押し入れられるようになる。そして、ＤｕｏカードＢの先端部が、スライダ８５の第２の長孔１３７から上方に突出している第２コンタクト８７の上に位置されて接触パッド部がカード接触部１０７と接触されて好適に接続されるようになる。
【０１６０】
この場合に、ＤｕｏカードＢの先端下面側の接触パッド部が、図２６に示されるように、第２のコンタクト８７の弾性コンタクト部片１０６のカード接触部１０７と良好に接触されて、好適に接続されるようになる。このような場合に、ＤｕｏカードＢは、図示されるように、スライダ８５が第１のコンタクト８６の上に位置されて、スライダ８５によって遮蔽されており、第１のコンタクト８６にＤｕｏカードＢが何等当たるようなことはない。
【０１６１】
さらにまた、このような場合に、イジェクト機構８８のばね部材１００Ａは、ＤｕｏカードＢが操作部材９８を押すために圧縮されて偏倚されている。他方、スライダ８５がロック機構１２０のロック金具１２１によってロックされているので、作動部材１２６とスライダ８５は何等移動されることが無く、図２０に示されるように不動のままである。
【０１６２】
そして、このように、本発明のカードコネクタ８０に挿入されたＤｕｏカードＢを取り出すためには、ＤｕｏカードＢの端部を僅かに押せば、イジェクト機構８８のカムレバー１１２の端部１１２ｂがカム溝１１０のカムレバー用係止部１１７から外れてガイド溝１１４から直線状ガイド溝１１８に入って操作部材９８がばね部材１００Ａによって押されるので、ＤｕｏカードＢがイジェクトされて、ＤｕｏカードＢが何等不都合なく好適に放出されるようになる。従って、ＤｕｏカードＢの接触パッド部が第２のコンタクト８７のカード接触部１０７から離されて、ＤｕｏカードＢがカードコネクタ８０から好適に引き出されるようになる。
【０１６３】
上述したように構成された本発明のカードコネクタ８０によれば、カードコネクタ８０のカード挿入口８９において、外形寸法形状が相違し、かつ挿入口方向の厚さ寸法が異なるＳＤカードＡやＤｕｏカードＢ等を、本発明のこの同一のカードコネクタ８０のカード挿入口８９のスロットとしての第１の案内路を形成する上段と下段の案内路９５、９６によって段付き形状の厚さの厚いＳＤカードＡを、そして、幅が狭く、厚さの薄いＤｕｏカードＢが同一機器のカードコネクタ８０において、第２の案内路を形成する操作部材９８の係合部１３２によって良好に案内される。
【０１６４】
そして、第１のコンタクト８６と第２のコンタクト８７とにＳＤカードＡとＤｕｏカードＢの接触パッド部を、それぞれスライダ８５によって切換えて、第１の長孔１３６と第２の長孔１３７とからそれぞれ第１、第２のコンタクト８６、８７を突出させて良好に接触されるようになる。従って、挿入されたＳＤカードＡとＤｕｏカードＢ等の接触パッド部が、カードコネクタ８０の第１または第２のコンタクト８６、８７のカード接触部１０４、１０７とそれぞれ好適に接触されて接続されるようになる。
【０１６５】
これによって、このような外形寸法の異なるＳＤカードＡやＤｕｏカードＢが挿入された場合においても、同一のカードコネクタ８０を共用して、ＳＤカードＡやＤｕｏカードＢと確実に接触することができ、しかも、ＳＤカードＡやＤｕｏカードＢ等の接触パッド部から第１および第２のコンタクト８６、８７のカード接触部１０４、１０７が脱落してリードエラーが発生しないように保護することができる。
【０１６６】
（実施例４）
図２７乃至図３５には、本発明のカードコネクタの実施例４が示されており、図２７は、本発明の実施例４におけるカードコネクタの斜視図で、図２８は、図２７のカードコネクタを、カバー部材を取り除いて示す斜視図であって、図２９は、側断面図、図３０は、カードガイドの上方からの斜視図で、図３１は、カードガイドの下方からの斜視図、図３２は、ＳＤカードを挿入する時の、カバー部材を取り除いて示す斜視図で、図３３は、ＳＤカードを挿入した時の側断面図、図３４は、Ｄｕｏカードを挿入した時の、カバー部材を取り除いて示す斜視図で、図３５は、Ｄｕｏカードを挿入した時の側断面図である。
【０１６７】
本発明のカードコネクタのこの実施例４においても、上述した実施例１乃至４におけると同様に、カードとして、例えばＳＤカードとＤｕｏカードとが使用されるよう適用されるが、本発明は、これらＳＤカードやＤｕｏカードの使用にのみ制限されるものではなく、他の同様なカードにも適用できることは勿論である。
【０１６８】
図示されるように、本発明の実施例４におけるカードコネクタ１４０は、幅や厚さが異なるＳＤカードやＤｕｏカードが挿入される時に、他のカード用のコンタクトに触れない位置に分離して挿入されるように上下に分けて挿入されるものである。
【０１６９】
このために、本発明の実施例４のカードコネクタ１４０は、コネクタ本体１４３にカバー部材１４４を組合せて形成される偏平な中空構造のハウジング１４２と、このハウジング１４２の内方の奥の空間部分を上下二段に分ける仕切板１４１と、ハウジング１４２内に滑動可能に設けられたスライダ１４５と、ハウジング１４２内に上下二段の列に設置された複数個の第１のコンタクト１４６および第２のコンタクト１４７と、ハウジング１４２の一方の側壁１５３に設けられたイジェクト機構１４８と、挿入されるカードの幅を区別して上下にカードを案内するカードガイド１４９とを有している。
【０１７０】
本発明のこの実施例４のカードコネクタ１４０において、ハウジング１４２は、コネクタ本体１４３とカバー部材１４４とを組み合わせて偏平で中空な形状に構成されている。さらにまた、ハウジング１４２は、一端が開口されていてカード挿入口が形成されており、他方の側に端壁１５１が設けられていて閉鎖されている。ハウジング１４２の端壁１５１には、複数個の孔１５２ａ、１５２ｂが横方向に間隔を置いて整列して、かつ上下方向に二段に分けて設けられている。そして、これら上下二段の孔１５２ａ、１５２ｂの各々の中に位置するように第１のコンタクト１４６と第２のコンタクト１４７とが夫々嵌め込まれて固定されている。
【０１７１】
これら第１、第２のコンタクト１４６、１４７は、第１のコンタクト１４６が上段に位置し、第２のコンタクト１４７が下段に位置するように上下のそれぞれの孔１５２ａ、１５２ｂ内に根元部分が差し込まれて、例えば圧入や圧着等の手段によって固定されてコネクタ本体１４３に取り付けられている。
【０１７２】
このように、第１のコンタクト１４６と第２のコンタクト１４７とが、上下方向に異なった高さ位置に設置されており、しかも、これら第１、第２のコンタクト１４６、１４７の間に仕切板１４１が設けられていて、第１、第２のコンタクト１４６、１４７が互いに触れることのないように分離されている。また、端壁１５１の中程の高さ位置に庇状の突出する張出部１５１ａが設けられている。
【０１７３】
コネクタ本体１４３は、平板状のベース部１５０と、このベース部１５０の両側の側壁１５３、１５４と、第１、第２のコンタクト１４６、１４７が設置される端壁１５１とを有している。
【０１７４】
さらに、コネクタ本体１４３には、両側の側壁１５３、１５４に沿ってＳＤカードの側縁を案内する第１の案内路を形成する上段の案内路１５５と中段の案内路１５６とが、段付き形状に形成されている。これら第１の案内路を形成する上段の案内路１５５と中段の案内路１５６は、上段の案内路１５５が上側に幅が広く形成されており、中段の案内路１５６が上段の案内路１５５よりも幅が狭いように、その下側に形成されていて、２段の段付き形状に作られている。
【０１７５】
従って、これら第１の案内路を形成する上段の案内路１５５と中段の案内路１５６とが、例えばＳＤカードの両側の段付部を案内するように段付き側辺部分に係合してＳＤカードをスライドできるように形成されている。そして、さらに中段の案内路１５６の下方の内側にＤｕｏカードのための第２の案内路としての下段の案内路１５７が形成されている。従って、これら第１の案内路の上段、中段の案内路１５５、１５６と、第２の案内路を形成する下段の案内路１５７とによって、コネクタ本体１４３の側壁１５３、１５４が３段の段付き形状に形成されている。
【０１７６】
このように、コネクタ本体１４３の両側の側壁１５３、１５４の上段の案内路１５５と中段の案内路１５６とによってＳＤカードの段付きの側辺部を案内する第１の案内路が形成され、下段の案内路１５７によってＤｕｏカードの側辺を案内する第２の案内路が形成されている。
【０１７７】
さらにまた、コネクタ本体１４３のベース部１５０上に、かつ側壁１５３側の第１の案内路の上段の案内路１５５と中段の案内路１５６と第２の案内路の下段の案内路１５７とに沿ってスライダ１４５が良好にスライドできるように、スライダ１４５がこれら上段、中段、下段の案内路１５５、１５６、１５７とに係合するように装着されている。
【０１７８】
さらに、コネクタ本体１４３の一方の側壁１５３には、ほぼ全長に亙って切り欠かれていて、第１の案内路の上段の案内路１５５と中段の案内路１５６とに、ほぼ平行に細長い空所としてスライド溝１５３Ａが形成されている。そして、この細長いスライド溝１５７Ａ内には、ＳＤカードを放出するためのイジェクト機構１４８のばね部材１６０が設けられている。
【０１７９】
コネクタ本体１４３と組合せられるカバー部材１４４は、金属薄板を、例えば打抜きやプレス加工等によって折り曲げ加工されて作られ、両側に側壁１６１が設けられている。このカバー部材１４４の側壁１５１は、コネクタ本体１４３の両側の側壁１５３、１５４の外側面に嵌合されて、側壁１５１の弾性力や接着剤等によって固着されている。
【０１８０】
また、コネクタ本体１４３とカバー部材１４４とから形成されるハウジング１４２内に滑動可能に設けられたスライダ１４５は、コネクタ本体１４３のベース部１５０上を、一方の側壁９３の上段、中段、下段の案内路１５５、１５６、１５７に沿って滑動可能に設けられている。さらに、スライダ１４５は、ほぼ三角形の平板状に形成されていて、カード受け部１６９とカード押出部１７０とを有している。
【０１８１】
これによって、ＳＤカードが挿入される時に、ＳＤカードの前端の切欠部と、その隣接の前端面とが、スライダ１４５のカード受け部１６９とカード押出部１７０とに係合して押すことによって、スライダ１４５が移動されるように形成されている。さらに、スライダ１４５のカード押出部１７０の下部には前方に突出した張出部１７１が設けられていてＤｕｏカードの前端面が当接するように形成されている。
【０１８２】
また、スライダ１４５の側部には細長い操作部材１５８が設けられている。さらにこの操作部材１５８には、カードを放出するためのイジェクト機構１４８のカム機構１５９のカム溝１８０が設けられている。
【０１８３】
図示されるように、上段側の第１のコンタクト１４６は、一端にＳＤカードの接触パッド部と接触するための片持ち梁形の円弧状のカード接触部１６４が形成された弾性コンタクト部片１６３を有している。また、第１のコンタクト１４６は、基板のプリント回路と接続されるための端子部１６５を有している。さらに、この第１のコンタクト１４６は、この端子部１６５の近傍にてコネクタ本体１４３の端壁１５１の孔１５２ａに弾性コンタクト部片１６３の根元部分が圧入されて固着されている。
【０１８４】
従って、第１のコンタクト１４６は、弾性コンタクト部片１６３の根元部分において片持ち梁状に弾性支持されており、ＳＤカードが挿入されてスライダ１４５が内方に押されて移動された時に、第１のコンタクト１４６の自由端部側のカード接触部１６５がＳＤカードの先端部下面の接触パッド部と接触して接続されるようになっている。
【０１８５】
このような第１のコンタクト１４６とほぼ同様に第２のコンタクト１４７も弾性コンタクト部片１６６とカード接触部１６７と端子部１６８とが設けられており、コネクタ本体１４３のベース部材１５０上に、第１のコンタクト１４６と上下方向に間隔を置いて下方に配置されている。また、この第２のコンタクト１４７は、コネクタ本体１４３の端壁１５１の下の孔１５２ｂ内に、弾性コンタクト部片１６６の根元部分が圧入されて固着されることによって、片持ち梁状に弾性支持されている。
【０１８６】
このように、本発明の実施例４のカードコネクタ１４０においては、第１のコンタクト１４６が上段に配置されており、この第１のコンタクト１４６の下方に第２のコンタクト１４７が配置されている。従って、ＳＤカードが挿入される時には、スライダ１４５を押して移動して第１のコンタクト１４６のカード接触部１６４が、ＳＤカードの接触パッド部と接触されて接続される。さらにまた、Ｄｕｏカードが挿入される時には、Ｄｕｏカードの前端面がスライダ１４５のカード押１７０の張出部１７１に当接してスライダ１４５を押し、第２のコンタクト１４７のカード接触部１６７がＤｕｏカードの接触パッド部と接触されて接続されるように構成されている。
【０１８７】
このように、ＳＤカードとＤｕｏカードのための上段の第１のコンタクト１４６と下段の第２のコンタクト１４７とが互いに接触しないように、これら第１、第２のコンタクト１４６、１４７を、それぞれ分ける仕切板１４１が設けられている。
【０１８８】
図２７から明らかなように、この仕切板１４１の角部には、スライダ１４５の滑動を妨げないように一部が切除されていて切欠き部１４１ａが設けられている。さらに、仕切板１４１の、端壁１５１側の端部は、図３３、図３５に示されるように下方に、ほぼ逆Ｌ字形に折り曲げられていて折曲部１４１Ａが設けられている。この折曲部１４１Ａは、端壁１５１の張出部１５１ａの下に位置されており、仕切板１４１の上方への動きを制限している。
【０１８９】
また、仕切板１４１には、第２のコンタクト１４７に対応する位置に細長い長孔１４１ｂが設けられている。さらにまた、仕切板１４１の前縁は、両側から少し内側に入ったところで切込みが設けられていて上方に僅かに反り返っており、Ｄｕｏカードの挿入時に、Ｄｕｏカードの先端部を仕切板１４１の下方に良好にガイドすることができるように案内部１４１Ｂを形成している。従って、案内部１４１Ｂの両側に、押え部１４１ｂが設けられている。この仕切板１４１の前に、上下方向に移動できるようにカードガイド１４９が設けられている。このカードガイド１４９は、左右のばね部材１７２によって弾性支持されている。
【０１９０】
カードガイド１４９は、図３０、図３１に明示されるように、横方向に延びる細長い板状の横板状部１７４と、この横板状部１７４の左右に設けられたほぼ楔形の長いガイド部材１７５と、同様な楔形の短いガイド部材１７６とを有している。これら長さが異なる長短のガイド部材１７５、１７６は、前方に傾斜したスロープとしてのガイド面１７７、１７８が設けられており、さらに、ガイド部材１７５、１７６の根元側の下方部分は切除されていてばね部材１７４がそれぞれ配置されるように形成されている。ばね部材１７４は、コネクタ本体１４３に直立するように設けられたピン１７９に装着して取り付けられるようになっている。
【０１９１】
さらにまた、これらガイド部材１７５、１７６の後部には仕切板押え１７５ａ、１７６ａが設けられると共に、内側にガイド面１７５ｂ、１７６ｂが設けられている。これら仕切板押え１７５ａ、１７６ａは、仕切板１４１の両角部の係合部１４１ｂを押し下げることができるようになっている。また、ガイド面１７５ｂ、１７６ｂは、Ｄｕｏカードの先端角部を案内するようになっている。さらにまた、仕切板押え１７５ａ、１７６ａには、ばね部材１７２が装着される、コネクタ本体１４３のベース部１５０上に直立したピン１７９の先端部が係合できるようになった孔１７５ｃ、１７６ｃが設けられている。さらに、ガイド部材１７５、１７６が、図示されるように長さが相違しているのは、挿入されるＳＤカードの角部の切欠き部に、長い方のガイド部材１７５が対応することができるようにするためである。
【０１９２】
従って、カードガイド１４９は、これら一対のばね部材１７２によって上方に押し上げられており、ＳＤカードが挿入される時に、ＳＤカードの角部がこれらガイド部材１７５、１７６の上に載って、ＳＤカードによってカードガイド１４９が下方に押し下げられるようになる。
【０１９３】
また、本発明のこの実施例４のカードコネクタ１４０においても、イジェクト機構１４８が設けられている。このイジェクト機構１４８は、上述した実施例２、３におけるイジェクト機構３８、８８と構成および作用が実質的に同じであり、ここではその詳細な説明を省略するものとする。
【０１９４】
このように構成された本発明のカードコネクタの実施例４において、ＳＤカードとＤｕｏカードを実際にそれぞれ使用する場合について、次に説明する。
【０１９５】
この場合に、ＳＤカードは、両側の側辺部分が段付き形状に形成された厚いカードである。他方、Ｄｕｏカードは、幅がＳＤカードよりも狭く、かつ薄いカードであることは上記の実施例２、３におけると同じである。
【０１９６】
図３２と図３３は、ＳＤカードを挿入した場合の、カバー部材を取り外して示す図で、図３２は、ＳＤカードを挿入する時の図であり、図３３は、ＳＤカードが完全に挿入された時の図である。
【０１９７】
図示されるように、本発明のカードコネクタ１４０の開口しているカード挿入口からＳＤカードＡを挿入すると、ＳＤカードＡは、両側の段付き側辺部分が第１の案内路の上段および中段の案内路１５５、１５６に係合して、これら上段と中段の案内路１５５、１５６に沿って案内されて奥の方に向って押し入れられるようになる。
【０１９８】
そして、先ず、ＳＤカードＡの両側の段付き側辺部分が、カードガイド１４９のガイド部材１７５、１７６のガイド面１７７、１７８に当たってガイド部材１７５、１７６を押し下げる。これによって、カードガイド１４９は、ばね部材１７２を押圧して下方に押し下げられる。同時に、カードガイド１４９によって仕切板１４１の係合部１４１ｂが押されて仕切板１４１も僅かに押し下げられる。
【０１９９】
こうして、ＳＤカードＡは、カードガイド１４９のガイド部材１７５、１７６の上を通ってスライダ１４５のカード受け部１６９に、ＳＤカードＡの切欠き部が当接してスライド１４５のカード受け部１６９と合致するようになる。この場合に、ＳＤカードＡが裏差しや、逆差しによって誤った状態で挿入されると、ＳＤカードＡが正しく挿入されず、誤挿入が防止されるようになり、誤挿入防止機構として好適に作用するようになる。
【０２００】
従って、正しく挿入されたＳＤカードＡを続けて挿入して行けば、ＳＤカードＡは、スライダ１４５と共に移動して仕切板１４の上を滑動するようになり、端壁１５１に当たるようになる。この状態で、ＳＤカードＡの挿入を停止して手を離せば、スライダ１４５は、ばね部材１６０により押されて僅かに戻って、イジェクト機構１４８によってロックされ、図３３の挿入状態となる。
【０２０１】
このようなロック状態において、ＳＤカードＡの先端下面側の接触パッド部が、図３３に示されるように、所要位置において第１のコンタクト１４６の弾性コンタクト部片１６３のカード接触部１６４と良好に接触されて、好適に接続されるようになる。この場合に、第１のコンタクト１４６は、図示されるように、第２のコンタクト１４７に対しては、仕切板１４１の上の位置にあって仕切板１４１によって完全に分離されており、第２のコンタクト１４７にはＳＤカードＡが何等全く当接していない。
【０２０２】
また、この場合に、イジェクト機構１４８のばね部材１６０は、ＳＤカードＡによってスライダ１４５を介して圧縮されるようになる。このようなばね部材１６０が圧縮された状態で、イジェクト機構１４９によって上述の実施例２、３におけると同様に、スライダ１４５をロック状態に固定することができるようになっている。
【０２０３】
このようにして、本発明のカードコネクタ１４０内にＳＤカードＡを所要位置にまで挿入して装着することができる。こうして本発明のカードコネクタ１４０に挿入されたＳＤカードＡを取り出すためには、イジェクト機構１４８によるロックを解除すれば、ＳＤカードＡはカードコネクタ１４０から外方にイジェクトされて放出されるようになる。このイジェクトされた状態が図３２の状態でもある。
【０２０４】
また、上述のＳＤカードＡに代って、ＤｕｏカードＢを挿入する場合には、ＤｕｏカードＢは、ＳＤカードＡよりも幅が狭く、かつ厚さも薄いので、カードコネクタ１４０第２の案内路の下段の案内路１５７が案内路となる。従って、ＤｕｏカードＢは、これら案内路１５７の間に嵌合されて挿入されるようになる。
【０２０５】
これによって、挿入されたＤｕｏカードＢは、先ず、十分な幅を持つ上段の案内路１５５の間や、中段の案内路１５６の間の空間部分に挿入されるようになり、もしも、いずれか片方にずれて偏っても、カードガイド１４９のガイド面１７５ｂ、１７６ｂのいずれかに当って内側に、かつ下方に案内されるようになる。そして、ＤｕｏカードＢは、カードガイド１４９の横板状部１７４の下の下段の案内路１５７間に挿入されるようになる。従って、この場合には、カードガイド１４９は何等動くことが無く不動のままである。
【０２０６】
これにより、下段の案内路１５７間に位置されるＤｕｏカードＢを押して挿入していけば、ＤｕｏカードＢの先端部は、仕切板１４１の案内部１４１Ｂの下に入って仕切板１４１の下方に良好に案内されて挿入されるようになる。そして、ＤｕｏカードＢの先端面がスライダ１４５の張出部１７１の前端面に当接してスライダ１４５を押すようになる。
【０２０７】
従って、ＤｕｏカードＢを続けて挿入して押し込んで行けば、ＤｕｏカードＢの先端下面の接触パッド部が、下方の第２のコンタクト１４７の弾性コンタクト部片１６６のカード接触部１６７と接触して接続されるようになる。この場合に、スライダ１４５だけがＤｕｏカードＢに押されて移動するだけで、仕切板１４１もカードガイド１４９も固定されたままであり、動くことがない。
【０２０８】
また、ＤｕｏカードＢが側壁１５３、１５４のいずれかの側に偏って挿入されても、ＤｕｏカードＢの先端角部がカードガイド１４９のガイド面１７５ｂ、１７６ｂに当たって内側、下方へと逸らされて、下段の案内路１５７間に良好に導かれて好適に嵌合されるようになる。
【０２０９】
従って、この状態で、ＤｕｏカードＢを押して挿入して行けば、ＤｕｏカードＢによってスライダ１４５が押されて内方に移動され、カードコネクタ１４０内の奥の方に向って押し入れられるようになる。そして、ＤｕｏカードＢによって、スライダ１４５が端壁１５１に当って上述したように、停止されるようになる。この状態で、ＤｕｏカードＢの挿入を停止して手を離せば、スライダ１４５はばね部材１６０により押されて僅かに戻り、イジェクト機構１４８によってロックされて、図３５の完全な挿入状態となる。
【０２１０】
このようなロックされた完全な挿入状態において、ＤｕｏカードＢの先端下面側の接触パッド部が、図３５に示されるように、所要位置において第２のコンタクト１４７の弾性コンタクト部片１６６のカード接触部１６７と良好に接触されて、好適に接続されるようになる。この場合に、第２のコンタクト１４７は、図示されるように、第１のコンタクト１４６に対しては、仕切板１４１の下の位置にあって仕切板１４１によって完全に分離されており、第１のコンタクト１４６にはＤｕｏカードＢが何等全く当接することがない。
【０２１１】
さらにまた、このような場合に、イジェクト機構１４８のばね部材１６０は、ＤｕｏカードＢがスライダ１４５を押すために圧縮されて偏倚されている。他方、スライダ１４５の操作部材１５８がイジェクト機構１４９によってロックされているので、スライダ１４５は何等動くことが無く、図示のように不動のままである。
【０２１２】
そして、このように、本発明のカードコネクタ１４０に挿入されたＤｕｏカードＢを取り出すためには、ＤｕｏカードＢの端部を僅かに押せば、イジェクト機構１４８によってロックが解除されてＤｕｏカードＢがイジェクトされてＤｕｏカードＢが何等不都合なく好適に放出される。従って、ＤｕｏカードＢの接触パッド部が第２のコンタクト１４７のカード接触部１６７から離されてＤｕｏカードＢがカードコネクタ１４０から好適に引き出されるようになる。
【０２１３】
上述したように構成された本発明のカードコネクタ１４０によれば、カードコネクタ１４０のカード挿入口において、外形寸法形状が相違し、かつ挿入口方向の厚さ寸法が異なるＳＤカードＡやＤｕｏカードＢ等を、本発明のこの同一のカードコネクタ１４０のカード挿入口のスロットとしての第１の案内路を形成する上段と中段の案内路１５５、１５６によって段付き形状の厚さの厚いＳＤカードＡを、そして、幅が狭く、厚さの薄いＤｕｏカードＢが同一機器のカードコネクタ１４０において、第２の案内路を形成する下段の案内路１５７によって良好に案内される。
【０２１４】
そして、厚さの厚いＳＤカードＡと薄いＤｕｏカードＢとをカードガイド１４９によって上下に分けるように切り換えると共に、仕切板１４１によって上下に完全に分離すると共に、仕切板１４１によって第１のコンタクト１４６と第２のコンタクト１４７をも分離、遮蔽して、第１のコンタクト１４６と第２のコンタクト１４７とにＳＤカードＡとＤｕｏカードＢとの接触パッド部を、それぞれ良好に接触されるようになる。
【０２１５】
従って、挿入されたＳＤカードＡとＤｕｏカードＢ等の接触パッド部が、カードコネクタ１４０の第１、第２のコンタクト１４６、１４７のカード接触部１６４、１６７とに、それぞれ好適に接触されて別々に接続されるようになる。これによって、このような外形寸法の異なるＳＤカードＡやＤｕｏカードＢ等が挿入された場合においても、同一のカードコネクタ８０を共用して、ＳＤカードＡやＤｕｏカードＢと確実に接触することができるように切り換えて分離する構造とし、しかも、ＳＤカードＡやＤｕｏカードＢ等の接触パッド部から第１および第２のコンタクト１４６、１４７のカード接触部１６４、１６７が脱落してリードエラーが発生しないように接続し、保護することができる。
【０２１６】
【発明の効果】
本発明の請求項１記載のカードコネクタは、両側壁の内面に階段状に複数個の段付き案内路が形成されたコネクタ本体と、該コネクタ本体と組合せて偏平で中空のハウジングを形成するカバー部材と、該ハウジング内に滑動可能に設けられたスライダと、前記ハウジング内に上下方向に分けて設置された複数個の第１、第２のコンタクトと、前記ハウジング内の一側に設けられたイジェクト機構とを有し、挿入横断面方向の形状や寸法の異なる厚薄のカードに対応して、スライダに対する挿入横断面方向の形状を切り換えできる構造に形成されているので、挿入横断面方向の形状や厚さや幅等の異なるカードに対応して、カードの挿入をスムーズに切り換えてカードを容易に挿入することができ、常に、第１、第２のコンタクトの接触部が互いに接触すること無く分離され、所要のカードの接触パッド部とそれぞれ確実に接触して接続できるように挿入横断面方向の寸法や形状の異なる異種カードを共用することができて、カードを損傷しないように保護すると共に、カードのパッド部からコンタクトの接触部が脱落してリードエラーが発生しないように保護することができる。
【０２１７】
本発明の請求項２記載のカードコネクタは、前記スライダが中空形状に形成され厚いカードの挿入時に、厚いカードがスライダと係合してスライダを動かし、上段の第１のコンタクトと接触されるので、カードに対応して第１、第２のコンタクトを容易に、かつ確実にカードと接触することができ、しかも第１、第２のコンタクトを良好に分離して互いに接触することが無く、カードのパッド部からコンタクトの接触部が脱落してリードエラーが発生しないように保護することができる。
【０２１８】
本発明の請求項３記載のカードコネクタは、薄いカードの挿入時には、カードがスライダと係合せずにスライダ内の中空部分に導入されて下段の第２のコンタクトと接触されるので、挿入横断面方向の形状や厚さや幅等の異なるカードに対応して、カードの挿入をスムーズに切り換えてカードを容易に挿入することができ、常に、第１、第２のコンタクトの接触部が互いに接触すること無く分離され、カードを損傷しないように保護することができる。
【０２１９】
本発明の請求項４記載のカードコネクタは、前記第１、第２のコンタクトが同一方向の位置に配置され、前記厚いカードの挿入で前記スライダが移動されて前記第１のコンタクトが前記スライダの仕切板部によって接触状態に位置されて接触され、前記スライダの静止した待機位置において前記スライダの仕切板部の下に前記薄いカードが導入されて前記第２のコンタクトと接触されるので、形状や厚さや幅等の寸法の異なるカードに対応して、カードの挿入をスムーズに切り換えてカードを容易に挿入することができ、常に、第１、第２のコンタクトの接触部が互いに接触すること無く分離され、カードを損傷しないように保護すると共に、カードのパッド部からコンタクトの接触部が脱落してリードエラーが発生しないように保護することができる。
【０２２０】
本発明の請求項５記載のカードコネクタは、前記第１、第２のコンタクトが向かい合わせに対向する位置に配置され、前記厚いカードの挿入で前記スライダが移動されて前記第１のコンタクトが前記スライダの仕切板部によって接触状態に位置され、前記スライダの静止した待機位置において前記スライダの仕切板部の下に前記薄いカードが導入されて第２のコンタクトと接触されるので、形状や厚さや幅等の寸法の異なるカードに対応して、カードの挿入をスムーズに切り換えてカードを容易に挿入することができ、常に、第１、第２のコンタクトの接触部が互いに接触すること無く分離されて、カードを損傷しないように保護すると共に、カードのパッド部からコンタクトの接触部が脱落してリードエラーが発生しないように保護することができる。
【０２２１】
本発明の請求項６記載のカードコネクタは、前記第１、第２のコンタクトが向かい合わせに対向する位置に配置され、前記スライダが平板状に形成されて前記第１、第２のコンタクトの先端部分が上方に突出するようにできる第１、第２の長孔を設けて、前記厚いカードの挿入により前記スライダが移動される時に、前記第１のコンタクトが前記スライダの第１の長孔から突出して前記厚いカードと接触され、前記スライダの静止した待機位置においては前記スライダの第２の長孔から前記第２のコンタクトが上方に突出して前記薄いカードと接触されるので、挿入横断面方向の形状や厚さや幅等の異なるカードに対応して、カードの挿入をスムーズに切り換えてカードを容易に挿入することができ、常に、第１、第２のコンタクトの接触部が互いに接触すること無く分離され、カードを損傷しないように保護すると共に、カードのパッド部からコンタクトの接触部が脱落してリードエラーが発生しないように保護することができる。
【０２２２】
本発明の請求項７記載のカードコネクタは、前記第１、第２のコンタクトが同一方向の位置に配置され、かつ前記第１、第２のコンタクトの間に仕切板が設けられ、厚いカードの挿入時には上下動可能なカードガイドによって前記仕切板の上に前記厚いカードが案内されて前記第１のコンタクトと接触され、薄いカードの挿入時には、前記仕切板の下に前記薄いカードが案内されて前記第２のコンタクトと接触されるように構成されているので、形状や厚さや幅等の寸法の異なるカードに対応して、カードの挿入をスムーズに切り換えてカードを容易に挿入することができ、しかも、第１、第２のコンタクトの接触部が、仕切板によって常に互いに接触すること無く確実に分離され、カードのパッド部からコンタクトの接触部が脱落してリードエラーが発生しないように保護することができる。
【０２２３】
本発明の請求項８記載のカードコネクタは、前記イジェクト機構が、ハート形カムが形成されたカム機構を有するので、簡単な構成に形成できると共に、カードを好適にイジェクトすることができる。
【図面の簡単な説明】
【図１】本発明の実施例１におけるカードコネクタの斜視図である。
【図２】図１のカードコネクタを、カバー部材を取り除いて示す斜視図である。
【図３】ＳＤカードを挿入した時の斜視図である。
【図４】Ｄｕｏカードを挿入した時の斜視図である。
【図５】図２のカードコネクタの側断面図である。
【図６】ＳＤカードを挿入した時の側断面図である。
【図７】Ｄｕｏカードを挿入した時の側断面図である。
【図８】コンタクト部分とスライダ部分を下方から見た部分斜視図である。
【図９】本発明の実施例２におけるカードコネクタの斜視図である。
【図１０】図９のカードコネクタを、カバー部材を取り除いて示す斜視図である。
【図１１】カバー部材を取り除いた、図１０のカードコネクタの平面図である。
【図１２】ＳＤカードを挿入した時の斜視図である。
【図１３】Ｄｕｏカードを挿入した時の斜視図である。
【図１４】カバー部材を取り除いた図１０のカードコネクタの側断面図である。
【図１５】ＳＤカードを挿入した時の側断面図である。
【図１６】Ｄｕｏカードを挿入した時の側断面図である。
【図１７】ＳＤカードを抜き出す時の状態図で、（Ａ）は、ＳＤカードのロック状態を示す図、（Ｂ）は、プッシュ状態を示す図で、（Ｃ）は、イジェクト状態を示す図である。
【図１８】Ｄｕｏカードを挿入、抜き出す時の状態図で、（Ａ）は、Ｄｕｏカードのロック状態を示す平面概要図、（Ｂ）は、Ｄｕｏカードのプッシュ状態を示す平面概要図で、（Ｃ）は、Ｄｕｏカードのイジェクト状態を示す平面概要図である。
【図１９】本発明の実施例３におけるカードコネクタの斜視図である。
【図２０】図１９のカードコネクタを、カバー部材を取り除いて示す斜視図である。
【図２１】カバー部材を取り除いた、図２０のカードコネクタの平面図である。
【図２２】ＳＤカードを挿入した時の斜視図である。
【図２３】Ｄｕｏカードを挿入した時の斜視図である。
【図２４】カバー部材を取り除いた、図２０のカードコネクタの側断面図である。
【図２５】ＳＤカードを挿入した時の側断面図である。
【図２６】Ｄｕｏカードを挿入した時の側断面図である。
【図２７】本発明の実施例４におけるカードコネクタの斜視図である。
【図２８】図２７のカードコネクタを、カバー部材を取り除いて示す斜視図である。
【図２９】図２７のカードコネクタの側断面図である。
【図３０】カードガイドの上方からの斜視図である。
【図３１】カードガイドの下方からの斜視図である。
【図３２】ＳＤカードを挿入する時の、カバー部材を取り除いて示す斜視図である。
【図３３】ＳＤカードを挿入した時の側断面図である。
【図３４】Ｄｕｏカードを挿入した時の、カバー部材を取り除いて示す斜視図である。
【図３５】Ｄｕｏカードを挿入した時の側断面図である。
【符号の説明】
１        カードコネクタ
２        ハウジング
３        コネクタ本体
４        カバー部材
５        スライダ
６        コンタクト（第１）
７        コンタクト（第２）
８        イジェクト機構
９        カード挿入口
１０      ベース部
１１      端壁
１２      孔
１３      側壁
１４      側壁
１５      案内路（上段）
１６      案内路（中段）
１７      案内路（下段）
１８      スライド溝
１９      突起部（可動側）
２０      突起部（固定側）
２１      ばね部材
２２      側壁
２３      側壁
２４      弾性コンタクト部片
２５      カード接触部
２６      端子部
２７      弾性コンタクト部片
２８      カード接触部
２９      端子部
３０      カードコネクタ
３２      ハウジング
３３      コネクタ本体
３４      カバー部材
３５      スライダ
３６      コンタクト（第１）
３７      コンタクト（第２）
３８      イジェクト機構
３９      カード挿入口
４０      ベース部
４１      端壁
４２      孔
４３      側壁
４４      側壁
４５      案内路（上段）
４６      案内路（中段）
４７      スライド溝
４８      操作部材
４９      カム機構
５０Ａ    ばね部材
５０Ｂ    ばね部材
５０Ｃ    ばね部材
５１      側壁
５２      ラッチ爪
５３      弾性コンタクト部片
５４      カード接触部
５５      端子部
５６      弾性コンタクト部片
５７      カード接触部
５８      端子部
５９      カード受け部
６０      カム溝
６１      ハート形カム
６２      カムレバー
６３      第１ガイド溝
６４      第２ガイド溝
６５      カード放出作動開始用ガイド溝
６６      凹み溝
６７      カムレバー用係止部
６８      直線状ガイド溝
６９      カムレバー押え
７０      ロック機構
７１      ロック金具
７２      突状部
７３      頂部
７４      折曲部
７５      ロック爪
７６      直立壁
７７      突部
７８      孔
７９      金属ばね片
８０      カードコネクタ
８２      ハウジング
８３      コネクタ本体
８４      カバー部材
８５      スライダ
８６      コンタクト（第１）
８７      コンタクト（第２）
８８      イジェクト機構
８９      カード挿入口
９０      ベース部
９１      端壁
９２      孔
９３      側壁
９４      側壁
９５      案内路（上段）
９６      案内路（下段）
９７      スライド溝
９８      操作部材
９９      カム機構
１００Ａ  ばね部材
１００Ｂ  ばね部材
１００Ｃ  ばね部材
１０１    側壁
１０２    ラッチ爪
１０３    弾性コンタクト部片
１０４    カード接触部
１０５    端子部
１０６    弾性コンタクト部片
１０７    カード接触部
１０８    端子部
１０９    カード受け
１１０    カム溝
１１１    ハート形カム
１１２    カムレバー
１１３    第１ガイド溝
１１４    第２ガイド溝
１１５    カード放出作動用ガイド溝
１１６    凹み溝
１１７    カムレバー用係止部
１１８    直線状ガイド溝
１１９    カムレバー押え
１２０    ロック機構
１２１    ロック金具
１２２    突状部
１２３    頂部
１２４    折曲部
１２５    ロック爪
１２６    作動部材
１２７    カード受け部
１２８    孔
１２９    金属ばね片
１３０    突出壁
１３２    係合部
１３３    板状部
１３４    端壁部
１３５    側壁部
１３６    長孔（第１）
１３７    長孔（第２）
１４０    カードコネクタ
１４１    仕切板
１４２    ハウジング
１４３    コネクタ本体
１４４    カバー部材
１４５    スライダ
１４６    コンタクト（第１）
１４７    コンタクト（第２）
１４８    イジェクト機構
１４９    カードガイド
１５０    ベース部
１５１    端壁
１５２    孔
１５３    側壁
１５４    側壁
１５５    案内路（上段）
１５６    案内路（中段）
１５７    案内路（下段）
１５８    操作部材
１５９    カム機構
１６０    ばね部材
１６１    側壁
１６３    弾性コンタクト部片
１６４    カード接触部
１６５    端子部
１６６    弾性コンタクト部片
１６７    カード接触部
１６８    端子部
１６９    カード受け部
１７０    カード押出部
１７１    張出部
１７２    ばね部材
１７４    横板状部
１７５    ガイド部材
１７６    ガイド部材
１７７    ガイド面
１７８    ガイド面
１７９    ピン
【図１】
2004206963.tif 000003
【図２】
2004206963.tif 000004
【図３】
2004206963.tif 000005
【図４】
2004206963.tif 000006
【図５】
2004206963.tif 000007
【図６】
2004206963.tif 000008
【図７】
2004206963.tif 000009
【図８】
2004206963.tif 000010
【図９】
2004206963.tif 000011
【図１０】
2004206963.tif 000012
【図１１】
2004206963.tif 000013
【図１２】
2004206963.tif 000014
【図１３】
2004206963.tif 000015
【図１４】
2004206963.tif 000016
【図１５】
2004206963.tif 000017
【図１６】
2004206963.tif 000018
【図１７】
2004206963.tif 000019
【図１８】
2004206963.tif 000020
【図１９】
2004206963.tif 000021
【図２０】
2004206963.tif 000022
【図２１】
2004206963.tif 000023
【図２２】
2004206963.tif 000024
【図２３】
2004206963.tif 000025
【図２４】
2004206963.tif 000026
【図２５】
2004206963.tif 000027
【図２６】
2004206963.tif 000028
【図２７】
2004206963.tif 000029
【図２８】
2004206963.tif 000030
【図２９】
2004206963.tif 000031
【図３０】
2004206963.tif 000032
【図３１】
2004206963.tif 000033
【図３２】
2004206963.tif 000034
【図３３】
2004206963.tif 000035
【図３４】
2004206963.tif 000036
【図３５】
2004206963.tif 000037